(57)【特許請求の範囲】
【請求項１】
一対の電極間に、一般式（１）で表される少なくとも１種のアミン化合物からなるホスト材料と、前記アミン化合物以外の多環芳香族化合物からなるゲスト材料と、を含む発光層を少なくとも挟持してなる有機電界発光素子。
【化１】
0005010076.tif 000014
〔式中、Ｘ１、Ｘ２、Ｘ３及びＸ４は、炭素数１〜２０のアルキル基、炭素数２〜２０のアルケニル基、炭素数４〜２０のアラルキル基、炭素数３〜２０のアリール基、炭素数１〜２０のアルコキシ基、炭素数２〜２０のアルコキシアルキル基、炭素数２〜２０のアルコキシアルキルオキシ基、炭素数２〜２０のアルケニルオキシ基、炭素数３〜２０のアルケニルオキシアルキル基、炭素数３〜２０のアルケニルオキシアルキルオキシ基、炭素数４〜２０のアラルキルオキシ基、炭素数５〜２０のアラルキルオキシアルキル基、炭素数５〜２０のアラルキルオキシアルキルオキシ基、炭素数３〜２０のアリールオキシ基、炭素数４〜２０のアリールオキシアルキル基、炭素数４〜２０のアリールオキシアルキルオキシ基、炭素数２〜２０のアルキルカルボニル基、炭素数３〜２０のアルケニルカルボニル基、炭素数５〜２０のアラルキルカルボニル基、炭素数４〜２０のアリールカルボニル基、炭素数２〜２０のアルコキシカルボニル基、炭素数３〜２０のアルケニルオキシカルボニル基、炭素数５〜２０のアラルキルオキシカルボニル基、炭素数４〜２０のアリ−ルオキシカルボニル基、炭素数２〜２０のアルキルカルボニルオキシ基、炭素数３〜２０のアルケニルカルボニルオキシ基、炭素数５〜２０のアラルキルカルボニルオキシ基、炭素数４〜２０のアリールカルボニルオキシ基、炭素数１〜２０のアルキルチオ基、炭素数４〜２０のアラルキルチオ基、炭素数３〜２０のアリールチオ基、ニトロ基、シアノ基、ホルミル基、ハロゲン原子、ハロゲン化アルキル基、水酸基、アミノ基、炭素数１〜２０のＮ−モノ置換アミノ基もしくは炭素数２〜４０のＮ，Ｎ−ジ置換アミノ基を置換基として有していてもよいアリール基であり、
Ａ１１〜Ａ１５の少なくとも１つと、Ａ２１〜Ａ２５の少なくとも一つは下記一般式（２）で表される基を表し、Ａ１１〜Ａ１５及びＡ２１〜Ａ２５の一般式（２）で表される基以外は、水素原子である
【化２】
0005010076.tif 000015
（基中、Ｙ１およびＹ２は炭素数１〜２０のアルキル基、炭素数２〜２０のアルケニル基、炭素数４〜２０のアラルキル基、炭素数３〜２０のアリール基、炭素数１〜２０のアルコキシ基、炭素数２〜２０のアルコキシアルキル基、炭素数２〜２０のアルコキシアルキルオキシ基、炭素数２〜２０のアルケニルオキシ基、炭素数３〜２０のアルケニルオキシアルキル基、炭素数３〜２０のアルケニルオキシアルキルオキシ基、炭素数４〜２０のアラルキルオキシ基、炭素数５〜２０のアラルキルオキシアルキル基、炭素数５〜２０のアラルキルオキシアルキルオキシ基、炭素数３〜２０のアリールオキシ基、炭素数４〜２０のアリールオキシアルキル基、炭素数４〜２０のアリールオキシアルキルオキシ基、炭素数２〜２０のアルキルカルボニル基、炭素数３〜２０のアルケニルカルボニル基、炭素数５〜２０のアラルキルカルボニル基、炭素数４〜２０のアリールカルボニル基、炭素数２〜２０のアルコキシカルボニル基、炭素数３〜２０のアルケニルオキシカルボニル基、炭素数５〜２０のアラルキルオキシカルボニル基、炭素数４〜２０のアリ−ルオキシカルボニル基、炭素数２〜２０のアルキルカルボニルオキシ基、炭素数３〜２０のアルケニルカルボニルオキシ基、炭素数５〜２０のアラルキルカルボニルオキシ基、炭素数４〜２０のアリールカルボニルオキシ基、炭素数１〜２０のアルキルチオ基、炭素数４〜２０のアラルキルチオ基、炭素数３〜２０のアリールチオ基、ニトロ基、シアノ基、ホルミル基、ハロゲン原子、ハロゲン化アルキル基、水酸基、アミノ基、炭素数１〜２０のＮ−モノ置換アミノ基もしくは炭素数２〜４０のＮ，Ｎ−ジ置換アミノ基を置換基として有していてもよいアリール基を表す）〕
【請求項２】
一対の電極間に、さらに、電子注入輸送層を有する請求項１に記載の有機電界発光素子。
【発明の詳細な説明】
【０００１】
【発明の属する技術分野】
本発明は、新規なアミン化合物および該アミン化合物を含有してなる有機電界発光素子に関する。
【０００２】
【従来の技術】
従来、アミン化合物は各種色素の製造中間体、あるいは各種の機能材料として使用されてきた。
機能材料としては、例えば、電子写真感光体の電荷輸送材料に使用されてきた。最近では、発光材料に有機材料を用いた有機電界発光素子（有機エレクトロルミネッセンス素子：有機ＥＬ素子）の正孔注入輸送材料として有用であることが提案されている〔例えば、Appl.Phys.lett.,51,913（1987）〕。
【０００３】
有機電界発光素子は蛍光性有機化合物を含む薄膜を、陽極と陰極間に挟持した構造を有し、該薄膜に電子および正孔（ホール）を注入して、再結合させることにより励起子（エキシントン）を生成させ、この励起子が失活する際に放出される光を利用して発光する素子である。有機電界発光素子は、数Ｖ〜数十Ｖ程度の直流の低電圧で発光が可能であり、また、蛍光性有機化合物の種類を選択することにより、種々の色（例えば、赤色、青色、緑色）の発光が可能である。このような特徴を有する有機電界発光素子は種々の発光素子、表示素子等への応用が期待されている。しかしながら、一般に、有機電界発光素子は、安定性、耐久性に乏しいなどの欠点を有している。有機電界発光素子の蛍光性有機化合物を含む薄膜への正孔の注入輸送を効率よく行う目的で、正孔注入輸送材料として、４，４’−ビス〔Ｎ−フェニル−Ｎ−（３”−メチルフェニル）アミノ〕ビフェニルを用いることが提案されている〔Jpn.J.Appl.Phys.,27，L269(1988)〕。
【０００４】
また、正孔注入輸送材料として、例えば、９，９−ジアルキル−２，７−ビス（Ｎ，Ｎ−ジフェニルアミノ）フルオレン誘導体〔例えば、９，９−ジメチル−２，７−ビス（Ｎ，Ｎ−ジフェニルアミノ）フルオレン〕を用いることも提案されている（特開平５−２５４７３号公報）。
【０００５】
しかしながら、これらのアミン化合物を正孔注入輸送材料として使用した有機電界発光素子も、安定性、耐久性に乏しいなどの難点があった。
【０００６】
現在では、安定性、耐久性に優れた有機電界発光素子が求められており、そのため、有機電界発光素子として使用した際に優れた特性を示す新規なアミン化合物が望まれている。
【０００７】
【発明が解決しようとする課題】
本発明の課題は、新規なアミン化合物および該化合物を含有する有機電界発光素子を提供することである。さらに詳しくは、有機電界発光素子の正孔注入輸送材料等に適した新規なアミン化合物、および該アミン化合物を使用した、安定性、耐久性に優れた有機電界発光素子を提供することである。
【０００８】
【課題を解決するための手段】
本発明者らは、上記課題を解決するために、種々のアミン化合物および有機電界発光素子に関して鋭意検討を行った結果、本発明を完成させるに至った。すなわち、本発明は、1) 一般式（１）（化４）で表されるアミン化合物、
【０００９】
【化４】
0005010076.tif 000002
【００１０】
〔式中、Ｘ1、Ｘ2、Ｘ3、Ｘ4、Ａ11〜Ａ15およびＡ21〜Ａ25は水素原子、ハロゲン原子、置換基を有していてもよい直鎖、分岐または環状のアルキル基、置換基を有していてもよい直鎖、分岐または環状のアルコキシ基、置換基を有していてもよい直鎖、分岐または環状のアルキルチオ基、置換基を有していてもよい直鎖、分岐または環状のアルケニル基、置換基を有していてもよい直鎖、分岐または環状のアルケニルオキシ基、置換基を有していてもよい直鎖、分岐または環状のアルケニルチオ基、置換基を有していてもよい直鎖、分岐または環状のアラルキル基、置換基を有していてもよい直鎖、分岐または環状のアラルキルチオ基、置換または未置換のアリール基、置換または未置換のアリールオキシ基、置換または未置換のアリールチオ基、シアノ基、水酸基、メルカプト基、−ＣＯＯＲ1基（基中、Ｒ1は水素原子、置換基を有していてもよい直鎖、分岐または環状のアルキル基、置換基を有していてもよい直鎖、分岐または環状のアルケニル基、置換または未置換のアラルキル基、あるいは置換または未置換のアリール基を表す）、−ＣＯＲ2基（基中、Ｒ2は水素原子、置換基を有していてもよい直鎖、分岐または環状のアルキル基、置換基を有していてもよい直鎖、分岐または環状のアルケニル基、置換または未置換のアラルキル基、置換または未置換のアリール基、あるいはアミノ基を表す）、−ＯＣＯＲ3基（基中、Ｒ3は水素原子、置換基を有していてもよい直鎖、分岐または環状のアルキル基、置換基を有していてもよい直鎖、分岐または環状のアルケニル基、置換または未置換のアラルキル基、あるいは置換または未置換のアリール基を表す）、あるいは、式（２）（化５）で表される基
【００１１】
【化５】
0005010076.tif 000003
【００１２】
（基中、Ｙ1およびＹ2は水素原子、置換基を有していてもよい直鎖、分岐または環状のアルキル基、置換または未置換のアラルキル基、あるいは、置換基を有していてもよいアリール基を表し、Ｙ1およびＹ2は互いに結合して窒素原子とともに置換または未置換の芳香族環または脂肪族環を形成してもよい）を表し、Ａ11〜Ａ15およびＡ21〜Ａ25の隣接する基は、互いに結合して、置換している炭素原子と共に置換または未置換の炭素環式芳香族環、置換または未置換の炭素環式脂肪族環、置換または未置換の複素環式芳香族環、置換または未置換の複素環式脂肪族環を形成してもよく、Ａ11〜Ａ15の少なくとも１つと、Ａ21〜Ａ25の少なくとも一つは式（２）で表される基を表す〕
【００１３】
2) 一般式（１）で表されるアミン化合物において、Ｘ1、Ｘ2、Ｘ3およびＸ4のうち少なくとも一つが置換または未置換のアリール基である1)記載のアミン化合物、
3) 式（２）で表される基において、Ｙ1およびＹ2が置換基を有していてもよい直鎖、分岐または環状のアルキル基、置換または未置換のアラルキル基、あるいは、置換または未置換のアリール基である1)または2)記載のアミン化合物、
4) 式（２）表される基において、Ｙ1およびＹ2が置換または未置換のアリール基である1)、2)または3)記載のアミン化合物、
5) 一般式（３）（化６）で表される化合物と、一般式（４）（化６）で表される化合物を反応させることからなる一般式（１）で表されるアミン化合物の製造方法、
【００１４】
【化６】
0005010076.tif 000004
【００１５】
6) 一対の電極間に、一般式（１）で表されるアミン化合物を少なくとも1種含有する層を少なくとも一層挟持してなる有機電界発光素子、
7) 一般式（１）で表されるアミン化合物を含有する層が、正孔注入輸送層である6)記載の有機電界発光素子、
8) 一般式（１）で表されるアミン化合物を含有する層が、発光層である6)記載の有機電界発光素子、
9) 一対の電極間に、さらに、発光層を有する6)または7)に記載の有機電界発光素子、
10) 一対の電極間に、さらに、電子注入輸送層を有する6)〜9)のいずれかに記載の有機電界発光素子、に関するものである。
【００１６】
【発明の実施の形態】
以下、本発明に関し詳細に説明する。
本発明のアミン化合物は一般式（１）（化７）で表される化合物である。
【００１７】
【化７】
0005010076.tif 000005
【００１８】
〔式中、Ｘ1、Ｘ2、Ｘ3、Ｘ4、Ａ11〜Ａ15およびＡ21〜Ａ25は水素原子、ハロゲン原子、置換基を有していてもよい直鎖、分岐または環状のアルキル基、置換基を有していてもよい直鎖、分岐または環状のアルコキシ基、置換基を有していてもよい直鎖、分岐または環状のアルキルチオ基、置換基を有していてもよい直鎖、分岐または環状のアルケニル基、置換基を有していてもよい直鎖、分岐または環状のアルケニルオキシ基、置換基を有していてもよい直鎖、分岐または環状のアルケニルチオ基、置換基を有していてもよい直鎖、分岐または環状のアラルキル基、置換基を有していてもよい直鎖、分岐または環状のアラルキルチオ基、置換または未置換のアリール基、置換または未置換のアリールオキシ基、置換または未置換のアリールチオ基、シアノ基、水酸基、メルカプト基、−ＣＯＯＲ1基（基中、Ｒ1は水素原子、置換基を有していてもよい直鎖、分岐または環状のアルキル基、置換基を有していてもよい直鎖、分岐または環状のアルケニル基、置換または未置換のアラルキル基、あるいは置換または未置換のアリール基を表す）、−ＣＯＲ2基（基中、Ｒ2は水素原子、置換基を有していてもよい直鎖、分岐または環状のアルキル基、置換基を有していてもよい直鎖、分岐または環状のアルケニル基、置換または未置換のアラルキル基、置換または未置換のアリール基、あるいはアミノ基を表す）、−ＯＣＯＲ3基（基中、Ｒ3は水素原子、置換基を有していてもよい直鎖、分岐または環状のアルキル基、置換基を有していてもよい直鎖、分岐または環状のアルケニル基、置換または未置換のアラルキル基、あるいは置換または未置換のアリール基を表す）、あるいは、式（２）（化８）で表される基
【００１９】
【化８】
0005010076.tif 000006
【００２０】
（基中、Ｙ1およびＹ2は水素原子、置換基を有していてもよい直鎖、分岐または環状のアルキル基、置換または未置換のアラルキル基、あるいは、置換基を有していてもよいアリール基を表し、Ｙ1およびＹ2は互いに結合して窒素原子とともに置換または未置換の芳香族環または脂肪族環を形成してもよい）を表し、Ａ11〜Ａ15およびＡ21〜Ａ25の隣接する基は、互いに結合して、置換している炭素原子と共に置換または未置換の炭素環式芳香族環、置換または未置換の炭素環式脂肪族環、置換または未置換の複素環式芳香族環、置換または未置換の複素環式脂肪族環を形成してもよく、Ａ11〜Ａ15の少なくとも１つと、Ａ21〜Ａ25の少なくとも一つは式（２）で表される基を表す〕
【００２１】
一般式（１）で表されるアミン化合物において、Ｘ1、Ｘ2、Ｘ3、Ｘ4、Ａ11〜Ａ15およびＡ21〜Ａ25は、好ましくは、水素原子、ハロゲン原子、置換基を有していてもよい炭素数１〜１６の直鎖、分岐または環状のアルキル基、置換基を有していてもよい炭素数１〜１６の直鎖、分岐または環状のアルコキシ基、置換基を有していてもよい炭素数２〜１６の直鎖、分岐鎖または環状のアルケニル基、炭素数７〜２４の置換または未置換のアラルキル基、シアノ基、式（２）で表される基、あるいは、炭素数６〜２４の置換または未置換のアリール基を表し、より好ましくは、水素原子、ハロゲン原子、置換基を有していてもよい炭素数１〜１２の直鎖、分岐または環状のアルキル基、置換基を有していてもよい炭素数１〜１２の直鎖、分岐または環状のアルコキシ基、置換基を有していてもよい炭素数２〜１２の直鎖、分岐または環状のアルケニル基、炭素数７〜２０の置換または未置換のアラルキル基、シアノ基、式（２）で表される基、あるいは、炭素数６〜２０の置換または未置換のアリール基を表す。
【００２２】
尚、アリール基とは、例えば、フェニル基、ナフチル基などの炭素環式芳香族基、例えば、フリル基、チエニル基、ピリジル基などの複素環式芳香族基を表す。
【００２３】
また、一般式（１）で表されるアミン化合物において、Ｘ1、Ｘ2、Ｘ3、Ｘ4、Ａ11〜Ａ15およびＡ21〜Ａ25の直鎖、分岐または環状のアルキル基、直鎖、分岐または環状のアルコキシ基、直鎖、分岐または環状のアルキルチオ基、直鎖、分岐または環状のアルケニル基、直鎖、分岐または環状のアルケニルオキシ基、および直鎖、分岐または環状のアルケニルチオ基は置換基を有していてもよく、例えば、ハロゲン原子、炭素数４〜２０のアリール基、炭素数１〜２０のアルコキシ基、炭素数２〜２０のアルコキシアルコキシ基、炭素数２〜２０のアルケニルオキシ基、炭素数４〜２０のアラルキルオキシ基、炭素数５〜２０のアラルキルオキシアルコキシ基、炭素数３〜２０のアリールオキシ基、炭素数４〜２０のアリールオキシアルコキシ基、炭素数５〜２０のアリールアルケニル基、炭素数６〜２０のアラルキルアルケニル基、炭素数１〜２０のアルキルチオ基、炭素数２〜２０のアルコキシアルキルチオ基、炭素数２〜２０のアルキルチオアルキルチオ基、炭素数２〜２０のアルケニルチオ基、炭素数４〜２０のアラルキルチオ基、炭素数５〜２０のアラルキルオキシアルキルチオ基、炭素数５〜２０のアラルキルチオアルキルチオ基、炭素数３〜２０のアリールチオ基、炭素数４〜２０のアリールオキシアルキルチオ基、炭素数４〜２０のアリールチオアルキルチオ基、炭素数４〜２０のヘテロ原子含有の環状アルキル基、あるいは水酸基などで単置換または多置換されていてもよい。
【００２４】
さらに、これらの置換基に含まれるアリール基は、さらにハロゲン原子、炭素数１〜１０のアルキル基、炭素数１〜１０のアルコキシ基、炭素数３〜１０のアリール基、炭素数４〜１０のアラルキル基などで置換されていてもよい。
【００２５】
一般式（１）で表されるアミン化合物において、Ｘ1、Ｘ2、Ｘ3、Ｘ4、Ａ11〜Ａ15およびＡ21〜Ａ25のアラルキル基、アラルキルオキシ基、アラルキルチオ基、アリール基、アリールオキシ基、およびアリールチオ基中のアリール基は置換基を有していてもよく、例えば、炭素数１〜２０のアルキル基、炭素数２〜２０のアルケニル基、炭素数４〜２０のアラルキル基、炭素数３〜２０のアリール基、炭素数１〜２０のアルコキシ基、炭素数２〜２０のアルコキシアルキル基、炭素数２〜２０のアルコキシアルキルオキシ基、炭素数２〜２０のアルケニルオキシ基、炭素数３〜２０のアルケニルオキシアルキル基、炭素数３〜２０のアルケニルオキシアルキルオキシ基、炭素数４〜２０のアラルキルオキシ基、炭素数５〜２０のアラルキルオキシアルキル基、炭素数５〜２０のアラルキルオキシアルキルオキシ基、炭素数３〜２０のアリールオキシ基、炭素数４〜２０のアリールオキシアルキル基、炭素数４〜２０のアリールオキシアルキルオキシ基、炭素数２〜２０のアルキルカルボニル基、炭素数３〜２０のアルケニルカルボニル基、炭素数５〜２０のアラルキルカルボニル基、炭素数４〜２０のアリールカルボニル基、炭素数２〜２０のアルコキシカルボニル基、炭素数３〜２０のアルケニルオキシカルボニル基、炭素数５〜２０のアラルキルオキシカルボニル基、炭素数４〜２０のアリ−ルオキシカルボニル基、炭素数２〜２０のアルキルカルボニルオキシ基、炭素数３〜２０のアルケニルカルボニルオキシ基、炭素数５〜２０のアラルキルカルボニルオキシ基、炭素数４〜２０のアリールカルボニルオキシ基、炭素数１〜２０のアルキルチオ基、炭素数４〜２０のアラルキルチオ基、炭素数３〜２０のアリールチオ基、ニトロ基、シアノ基、ホルミル基、ハロゲン原子、ハロゲン化アルキル基、水酸基、アミノ基、炭素数１〜２０のＮ−モノ置換アミノ基、炭素数２〜４０のＮ，Ｎ−ジ置換アミノ基などの置換基で単置換あるいは多置換されていてもよい。
【００２６】
さらに、これらの置換基に含まれるアリール基は、さらにハロゲン原子、炭素数１〜１０のアルキル基、炭素数１〜１０のアルコキシ基、炭素数６〜１０のアリール基、炭素数７〜１０のアラルキル基などで置換されていてもよい。
【００２７】
一般式（１）において、Ｒ1 、Ｒ2 およびＲ3 のアルキル基、アルケニル基、アラルキル基およびアリール基は置換基を有していてもよく、例えば、Ｘ1、Ｘ2、Ｘ3、Ｘ4、Ａ11〜Ａ15およびＡ21〜Ａ25で挙げた置換基で単置換または多置換されていてもよい。
【００２８】
Ｒ1 は、好ましくは、水素原子、置換基を有していてもよい総炭素数１〜２４の直鎖、分岐または環状のアルキル基、置換基を有していてもよい総炭素数２〜２４の直鎖、分岐または環状のアルケニル基、置換基を有していてもよい総炭素数７〜２４のアラルキル基、あるいは置換基を有していてもよい総炭素数６〜２４のアリール基であり、より好ましくは、水素原子、置換基を有していてもよい総炭素数１〜２４の直鎖、分岐または環状のアルキル基、置換基を有していてもよい総炭素数７〜２４のアラルキル基、あるいは置換基を有していてもよい総炭素数６〜２４のアリール基である。
【００２９】
Ｒ2 は、好ましくは、水素原子、置換基を有していてもよい総炭素数１〜２４の直鎖、分岐または環状のアルキル基、置換基を有していてもよい総炭素数２〜２４の直鎖、分岐または環状のアルケニル基、置換基を有していてもよい総炭素数７〜２４のアラルキル基、置換基を有していてもよい総炭素数６〜２４のアリール基、あるいはアミノ基であり、より好ましくは、水素原子、置換基を有していてもよい総炭素数１〜２４の直鎖、分岐または環状のアルキル基、置換基を有していてもよい総炭素数７〜２４のアラルキル基、置換基を有していてもよい総炭素数６〜２４のアリール基、あるいはアミノ基である。
【００３０】
Ｒ3 は、好ましくは、置換基を有していてもよい総炭素数１〜２４の直鎖、分岐または環状のアルキル基、置換基を有していてもよい総炭素数２〜２４の直鎖、分岐または環状のアルケニル基、置換基を有していてもよい総炭素数７〜２４のアラルキル基、あるいは置換基を有していてもよい総炭素数６〜２４のアリール基であり、より好ましくは、置換基を有していてもよい総炭素数１〜２４の直鎖、分岐または環状のアルキル基、置換基を有していてもよい総炭素数７〜２４のアラルキル基、あるいは置換基を有していてもよい総炭素数６〜２４のアリール基である。
【００３１】
また、Ｘ1、Ｘ2、Ｘ3およびＸ4は、好ましくは、少なくとも一つが置換または未置換のアリール基であり、より好ましくは、Ｘ1、Ｘ2、Ｘ3およびＸ4のうち、２つ以上が置換または未置換のアリール基であり、さらに好ましくは、Ｘ1、Ｘ2、Ｘ3およびＸ4のうち３つ以上が置換または未置換のアリール基である。
【００３２】
Ｘ1、Ｘ2、Ｘ3、Ｘ4、Ａ11〜Ａ15およびＡ21〜Ａ25で表される基の具体例としては、例えば、水素原子、フッ素、塩素、臭素、ヨウ素等のハロゲン原子、
【００３３】
メチル基、エチル基、ｎ−プロピル基、イソプロピル基、ｎ−ブチル基、イソブチル基、sec-ブチル基、tert−ブチル基、ｎ−ペンチル基、イソペンチル基、ネオペンチル基、tert−ペンチル基、ｎ−ヘキシル基、１−メチルペンチル基、４−メチル−２−ペンチル基、２−エチルブチル基、ｎ−ヘプチル基、１−メチルヘキシル基、ｎ−オクチル基、１−メチルヘプチル基、２−エチルヘキシル基、２−プロピルペンチル基、ｎ−ノニル基、２，２−ジメチルヘプチル基、２，６−ジメチル−４−ヘプチル基、３，５，５−トリメチルヘキシル基、ｎ−デシル基、１−エチルオクチル基、ｎ−ウンデシル基、１−メチルデシル基、ｎ−ドデシル基、ｎ−トリデシル基、１−ヘキシルヘプチル基、ｎ−テトラデシル基、ｎ−ペンタデシル基、１−ヘプチルオクチル基、ｎ−ヘキサデシル基、ｎ−ヘプタデシル基、１−オクチルノニル基、ｎ−オクタデシル基、１−ノニルデシル基、１−デシルウンデシル基、ｎ−エイコシル基、ｎ−ドコシル基、ｎ−テトラコシル基、シクロヘキシルメチル基、（１−イソプロピルシクロヘキシル）メチル基、２−シクロヘキシルエチル基、ボルネル基、イソボルネル基、１−ノルボルニル基、２−ノルボルナンメチル基、１−ビシクロ〔２．２．２〕オクチル基、１−アダマンチル基、３−ノルアダマンチル基、１−アダマンチルメチル基、シクロブチル基、シクロペンチル基、１−メチルシクロペンチル基、シクロヘキシル基、４−メチルシクロヘキシル基、３−メチルシクロヘキシル基、２−メチルシクロヘキシル基、２，３−ジメチルシクロヘキシル基、２，５−ジメチルシクロヘキシル基、２，６−ジメチルシクロヘキシル基、３，４−ジメチルシクロヘキシル基、３，５−ジメチルシクロヘキシル基、２，４，６−トリメチルシクロヘキシル基、３，３，５−トリメチルシクロヘキシル基、２，６−ジイソプロピルシクロヘキシル基、４−tert−ブチルシクロヘキシル基、３−tert−ブチルシクロヘキシル基、４−フェニルシクロヘキシル基、２−フェニルシクロヘキシル基、シクロヘプチル基、シクロオクチル基、シクロデシル基、シクロドデシル基、シクロテトラデシル基、
【００３４】
メトキシメチル基、エトキシメチル基、ｎ−ブトキシメチル基、ｎ−ヘキシルオキシメチル基、（２−エチルブチルオキシ）メチル基、ｎ−オクチルオキシメチル基、ｎ−デシルオキシメチル基、２−メトキシエチル基、２−エトキシエチル基、２−ｎ−プロポキシエチル基、２−イソプロポキシエチル基、２−ｎ−ブトキシエチル基、２−ｎ−ペンチルオキシエチル基、２−ｎ−ヘキシルオキシエチル基、２−（２’−エチルブチルオキシ）エチル基、２−ｎ−ヘプチルオキシエチル基、２−ｎ−オクチルオキシエチル基、２−（２’−エチルヘキシルオキシ）エチル基、２−ｎ−デシルオキシエチル基、２−ｎ−ドデシルオキシエチル基、２−ｎ−テトラデシルオキシエチル基、２−シクロヘキシルオキシエチル基、２−メトキシプロピル基、３−メトキシプロピル基、３−エトキシプロピル基、３−ｎ−プロポキシプロピル基、３−イソプロポキシプロピル基、３−（ｎ−ブトキシ）プロピル基、３−（ｎ−ペンチルオキシ）プロピル基、３−（ｎ−ヘキシルオキシ）プロピル基、３−（２’−エチルブトキシ）プロピル基、３−（ｎ−オクチルオキシ）プロピル基、３−（２’−エチルヘキシルオキシ）プロピル基、３−（ｎ−デシルオキシ）プロピル基、３−（ｎ−ドデシルオキシ）プロピル基、３−（ｎ−テトラデシルオキシ）プロピル基、３−シクロヘキシルオキシプロピル基、４−メトキシブチル基、４−エトキシブチル基、４−ｎ−プロポキシブチル基、４−イソプロポキシブチル基、４−ｎ−ブトキシブチル基、４−ｎ−ヘキシルオキシブチル基、４−ｎ−オクチルオキシブチル基、４−ｎ−デシルオキシブチル基、４−ｎ−ドデシルオキシブチル基、５−メトキシペンチル基、５−エトキシペンチル基、５−ｎ−プロポキシペンチル基、６−エトキシヘキシル基、６−イソプロポキシヘキシル基、６−ｎ−ブトキシヘキシル基、６−ｎ−ヘキシルオキシヘキシル基、６−ｎ−デシルオキシヘキシル基、４−メトキシシクロヘキシル基、７−エトキシヘプチル基、７−イソプロポキシヘプチル基、８−メトキシオクチル基、１０−メトキシデシル基、１０−ｎ−ブトキシデシル基、１２−エトキシドデシル基、１２−イソプロポキシドデシル基、テトラヒドロフルフリル基、
【００３５】
２−（２’−メトキシエトキシ）エチル基、２−（２’−エトキシエトキシ）エチル基、２−（２’−ｎ−ブトキシエトキシ）エチル基、３−（２’−エトキシエトキシ）プロピル基、２−アリルオキシエチル基、２−（４’−ペンテニルオキシ）エチル基、３−アリルオキシプロピル基、３−（２’−ヘキセニルオキシ）プロピル基、３−（２’−ヘプテニルオキシ）プロピル基、３−（１’−シクロヘキセニルオキシ）プロピル基、４−アリルオキシブチル基、
【００３６】
ベンジルオキシメチル基、２−ベンジルオキシエチル基、２−フェネチルオキシエチル基、２−（４’−メチルベンジルオキシ）エチル基、２−（２’−メチルベンジルオキシ）エチル基、２−（４’−フルオロベンジルオキシ）エチル基、２−（４’−クロロベンジルオキシ）エチル基、３−ベンジルオキシプロピル基、３−（４’−メトキシベンジルオキシ）プロピル基、４−ベンジルオキシブチル基、２−（ベンジルオキシメトキシ）エチル基、２−（４’−メチルベンジルオキシメトキシ）エチル基、
【００３７】
フェニルオキシメチル基、４−メチルフェニルオキシメチル基、３−メチルフェニルオキシメチル基、２−メチルフェニルオキシメチル基、４−メトキシフェニルオキシメチル基、４−フルオロフェニルオキシメチル基、４−クロロフェニルオキシメチル基、２−クロロフェニルオキシメチル基、２−フェニルオキシエチル基、２−（４’−メチルフェニルオキシ）エチル基、２−（４’−エチルフェニルオキシ）エチル基、２−（４’−メトキシフェニルオキシ）エチル基、２−（４’−クロロフェニルオキシ）エチル基、２−（４’−ブロモフェニルオキシ）エチル基、２−（１’−ナフチルオキシ）エチル基、２−（２’−ナフチルオキシ）エチル基、３−フェニルオキシプロピル基、３−（２’−ナフチルオキシ）プロピル基、４−フェニルオキシブチル基、４−（２’−エチルフェニルオキシ）ブチル基、５−（４’−tert−ブチルフェニルオキシ）ペンチル基、６−（２’−クロロフェニルオキシ）ヘキシル基、８−フェニルオキシオクチル基、１０−フェニルオキシデシル基、１０−（３’−クロロフェニルオキシ）デシル基、２−（２’−フェニルオキシエトキシ）エチル基、３−（２’−フェニルオキシエトキシ）プロピル基、４−（２’−フェニルオキシエトキシ）ブチル基、
【００３８】
ｎ−ブチルチオメチル基、ｎ−ヘキシルチオメチル基、２−メチルチオエチル基、２−エチルチオエチル基、２−ｎ−ブチルチオエチル基、２−ｎ−ヘキシルチオエチル基、２−ｎ−オクチルチオエチル基、２−ｎ−デシルチオエチル基、３−メチルチオプロピル基、３−エチルチオプロピル基、３−ｎ−ブチルチオプロピル基、４−エチルチオブチル基、４−ｎ−プロピルチオブチル基、４−ｎ−ブチルチオブチル基、５−エチルチオペンチル基、６−メチルチオヘキシル基、６−エチルチオヘキシル基、６−ｎ−ブチルチオヘキシル基、８−メチルチオオクチル基、２−（２’−メトキシエチルチオ）エチル基、４−（３’−エトキシプロピルチオ）ブチル基、２−（２’−エチルチオエチルチオ）エチル基、２−アリルチオエチル基、２−ベンジルチオエチル基、３−（４’−メチルベンジルチオ）プロピル基、４−ベンジルチオブチル基、２−（２’−ベンジルオキシエチルチオ）エチル基、３−（３’−ベンジルチオプロピルチオ）プロピル基、２−フェニルチオエチル基、２−（４’−メトキシフェニルチオ）エチル基、２−（２’−フェニルオキシエチルチオ）エチル基、３−（２’−フェニルチオエチルチオ）プロピル基、
【００３９】
フルオロメチル基、３−フルオロプロピル基、６−フルオロヘキシル基、８−フルオロオクチル基、トリフルオロメチル基、１，１−ジヒドロ−パーフルオロエチル基、１，１−ジヒドロ−パーフルオロ−ｎ−プロピル基、１，１，３−トリヒドロ−パーフルオロ−ｎ−プロピル基、１，１−ジヒドロ−パーフルオロ−ｎ−ブチル基、１，１−ジヒドロ−パーフルオロ−ｎ−ペンチル基、１，１−ジヒドロ−パーフルオロ−ｎ−ヘキシル基、６−フルオロヘキシル基、４−フルオロシクロヘキシル基、１，１−ジヒドロ−パーフルオロ−ｎ−オクチル基、１，１−ジヒドロ−パーフルオロ−ｎ−デシル基、１，１−ジヒドロ−パーフルオロ−ｎ−ドデシル基、１，１−ジヒドロ−パーフルオロ−ｎ−テトラデシル基、１，１−ジヒドロ−パーフルオロ−ｎ−ヘキサデシル基、パーフルオロ−ｎ−ヘキシル基、ジクロロメチル基、２−クロロエチル基、３−クロロプロピル基、４−クロロシクロヘキシル基、７−クロロヘプチル基、８−クロロオクチル基、２，２，２−トリクロロエチル基、
【００４０】
２−ヒドロキシエチル基、２−ヒドロキシプロピル基、３−ヒドロキシプロピル基、３−ヒドロキシブチル基、４−ヒドロキシブチル基、６−ヒドロキシヘキシル基、５−ヒドロキシヘプチル基、８−ヒドロキシオクチル基、１０−ヒドロキシデシル基、１２−ヒドロキシドデシル基、２−ヒドロキシシクロヘキシル基などの直鎖、分岐または環状のアルキル基、
【００４１】
例えば、メトキシ基、エトキシ基、ｎ−プロポキシ基、イソプロポキシ基、ｎ−ブトキシ基、イソブトキシ基、sec −ブトキシ基、ｎ−ペンチルオキシ基、ネオペンチルオキシ基、イソペンチルオキシ基、シクロペンチルオキシ基、ｎ−ヘキシルオキシ基、２−エチルブトキシ基、３，３−ジメチルブトキシ基、シクロヘキシルオキシ基、ｎ−ヘプチルオキシ基、ｎ−オクチルオキシ基、２−エチルヘキシルオキシ基、ｎ−ノニルオキシ基、ｎ−デシルオキシ基、ｎ−ドデシルオキシ基、ｎ−テトラデシルオキシ基、ｎ−ヘキサデシルオキシ基、ｎ−オクタデシルオキシ基、ｎ−エイコシルオキシ基、ｎ−ドコシルオキシ基、ｎ−テトラコシルオキシ基、
【００４２】
フルオロメトキシ基、トリフルオロメトキシ基、１，１−ジヒドロパーフルオロエトキシ基、パーフルオロエトキシ基、１，１−ジヒドロパーフルオロ−ｎ−プロポキシ基、１，１，３−トリヒドロパーフルオロ−ｎ−プロポキシ基、１，１−ジヒドロパーフルオロ−ｎ−ブトキシ基、１，１−ジヒドロパーフルオロ−ｎ−ペンチルオキシ基、１，１−ジヒドロパーフルオロ−ｎ−ヘキシルオキシ基、４−クロロシクロヘキシルオキシ基、１，１−ジヒドロパーフルオロ−ｎ−オクチルオキシ基、１，１−ジヒドロパーフルオロ−ｎ−デシルオキシ基、１，１−ジヒドロパーフルオロ−ｎ−ドデシルオキシ基、１，１−ジヒドロパーフルオロ−ｎ−ヘキサデシルオキシ基、
【００４３】
エトキシメトキシ基、１−メトキシエトキシ基、２−メトキシエトキシ基、２−エトキシエトキシ基、２−ｎ−プロポキシエトキシ基、２−イソプロポキシエトキシ基、２−ｎ−ブトキシエトキシ基、２−ｎ−ヘキシルオキシエトキシ基、２−ｎ−オクチルオキシエトキシ基、２−（２’−エチルヘキシルオキシ）エトキシ基、２−ｎ−デシルオキシエトキシ基、２−メトキシプロポキシ基、３−メトキシプロポキシ基、３−エトキシプロポキシ基、３−イソプロポキシプロポキシ基、３−ｎ−ブトキシプロポキシ基、３−ｎ−ヘキシルオキシプロポキシ基、３−ｎ−オクチルオキシプロポキシ基、２−メトキシブトキシ基、３−メトキシブトキシ基、４−メトキシブトキシ基、４−エトキシブトキシ基、４−イソプロポキシブトキシ基、４−ｎ−ブトキシブトキシ基、４−ｎ−ヘキシルオキシブトキシ基、４−ｎ−デシルオキシブトキシ基、４−ｎ−ドデシルオキシブトキシ基、５−エトキシペンチルオキシ基、６−メトキシヘキシルオキシ基、６−エトキシヘキシルオキシ基、６−イソプロポキシヘキシルオキシ基、４−メトキシシクロヘキシルオキシ基、７−メトキシヘプチルオキシ基、８−エトキシオクチルオキシ基、１０−メトキシデシルオキシ基、１２−エトキシドデシルオキシ基、２−（２’−メトキシエチルオキシ）エトキシ基、３−（２’−エトキシエチルオキシ）プロポキシ基、
【００４４】
２−ベンジルオキシエトキシ基、２−（４−メチルベンジルオキシ）エトキシ基、２−（４−メトキシベンジルオキシ）エトキシ基、３−（４−エチルベンジルオキシ）プロポキシ基、４−（３−フルオロベンジルオキシ）ブトキシ基、４−（４−クロロベンジルオキシ）ブトキシ基、６−（３−メチルベンジルオキシ）ヘキシルオキシ基、
【００４５】
フェニルオキシメトキシ基、２−フェニルオキシエトキシ基、２−（１’−ナフチルオキシ）エトキシ基、２−（２’−ナフチルオキシ）エトキシ基、２−（４’−メチルフェニルオキシ）エトキシ基、２−（４’−メトキシフェニルオキシ）エトキシ基、２−（３’−エトキシフェニルオキシ）エトキシ基、２−（４’−クロロフェニルオキシ）エトキシ基、３−フェニルオキシプロポキシ基、３−（４’−エチルフェニルオキシ）プロポキシ基、３−（４’−クロロフェニルオキシ）プロポキシ基、３−（２’−ナフチルオキシ）プロポキシ基、４−フェニルオキシブトキシ基、６−フェニルオキシヘキシルオキシ基、８−フェニルオキシオクチルオキシ基、１０−フェニルオキシデシルオキシ基などの直鎖、分岐または環状のアルコキシ基、
【００４６】
例えば、メチルチオ基、エチルチオ基、ｎ−プロピルチオ基、イソプロピルチオ基、ｎ−ブチルチオ基、イソブチルチオ基、sec −ブチルチオ基、ｎ−ペンチルチオ基、ネオペンチルチオ基、イソペンチルチオ基、シクロペンチルチオ基、ｎ−ヘキシルチオ基、２−エチルブチルチオ基、３，３−ジメチルブチルチオ基、シクロヘキシルチオ基、ｎ−ヘプチルチオ基、ｎ−オクチルチオ基、２−エチルヘキシルチオ基、ｎ−ノニルチオ基、ｎ−デシルチオ基、ｎ−ドデシルチオ基、ｎ−テトラデシルチオ基、ｎ−ヘキサデシルチオ基、ｎ−オクタデシルチオ基、ｎ−エイコシルチオ基、ｎ−ドコシルチオ基、ｎ−テトラコシルチオ基、
【００４７】
フルオロメチルチオ基、トリフルオロメチルチオ基、１，１−ジヒドロパーフルオロエチルチオ基、パーフルオロエチルチオ基、１，１−ジヒドロパーフルオロ−ｎ−プロピルチオ基、１，１，３−トリヒドロパーフルオロ−ｎ−プロピルチオ基、１，１−ジヒドロパーフルオロ−ｎ−ブチルチオ基、１，１−ジヒドロパーフルオロ−ｎ−ペンチルチオ基、１，１−ジヒドロパーフルオロ−ｎ−ヘキシルチオ基、４−クロロシクロヘキシルチオ基、１，１−ジヒドロパーフルオロ−ｎ−オクチルチオ基、１，１−ジヒドロパーフルオロ−ｎ−デシルチオ基、１，１−ジヒドロパーフルオロ−ｎ−ドデシルチオ基、１，１−ジヒドロパーフルオロ−ｎ−ヘキサデシルチオ基、
【００４８】
エトキシメチルチオ基、１−メトキシエチルチオ基、２−メトキシエチルチオ基、２−エトキシエチルチオ基、２−ｎ−プロポキシエチルチオ基、２−イソプロポキシエチルチオ基、２−ｎ−ブトキシエチルチオ基、２−ｎ−ヘキシルオキシエチルチオ基、２−ｎ−オクチルオキシエチルチオ基、２−（２’−エチルヘキシルオキシ）エチルチオ基、２−ｎ−デシルオキシエチルチオ基、２−メトキシプロピルチオ基、３−メトキシプロピルチオ基、３−エトキシプロピルチオ基、３−イソプロポキシプロピルチオ基、３−ｎ−ブトキシプロピルチオ基、３−ｎ−ヘキシルオキシプロピルチオ基、３−ｎ−オクチルオキシプロピルチオ基、２−メトキシブチルチオ基、３−メトキシブチルチオ基、４−メトキシブチルチオ基、４−エトキシブチルチオ基、４−イソプロポキシブチルチオ基、４−ｎ−ブトキシブチルチオ基、４−ｎ−ヘキシルオキシブチルチオ基、４−ｎ−デシルオキシブチルチオ基、４−ｎ−ドデシルオキシブチルチオ基、５−エトキシペンチルチオ基、６−メトキシヘキシルチオ基、６−エトキシヘキシルチオ基、６−イソプロポキシヘキシルチオ基、４−メトキシシクロヘキシルチオ基、７−メトキシヘプチルチオ基、８−エトキシオクチルチオ基、１０−メトキシデシルチオ基、１２−エトキシドデシルチオ基、２−〔（２’−メトキシエチル）オキシ〕エチルチオ基、３−〔（２’−エトキシエチル）オキシ〕プロピルチオ基、
【００４９】
２−ベンジルオキシエチルチオ基、２−（４−メチルベンジルオキシ）エチルチオ基、２−（４−メトキシベンジルオキシ）エチルチオ基、３−（４−エチルベンジルオキシ）プロピルチオ基、４−（３−フルオロベンジルオキシ）ブチルチオ基、４−（４−クロロベンジルオキシ）ブチルチオ基、６−（３−メチルベンジルオキシ）ヘキシルチオ基、
【００５０】
フェニルオキシメチルチオ基、２−フェニルオキシエチルチオ基、２−（１’−ナフチルオキシ）エチルチオ基、２−（２’−ナフチルオキシ）エチルチオ基、２−（４’−メチルフェニルオキシ）エチルチオ基、２−（４’−メトキシフェニルオキシ）エチルチオ基、２−（３’−エトキシフェニルオキシ）エチルチオ基、２−（４’−クロロフェニルオキシ）エチルチオ基、３−フェニルオキシプロピルチオ基、３−（４’−エチルフェニルオキシ）プロピルチオ基、３−（４’−クロロフェニルオキシ）プロピルチオ基、３−（２’−ナフチルオキシ）プロピルチオ基、４−フェニルオキシブチルチオ基、６−フェニルオキシヘキシルチオ基、８−フェニルオキシオクチルチオ基、１０−フェニルオキシデシルチオ基などの直鎖、分岐または環状のアルキルチオ基、
【００５１】
例えば、ビニル基、アリル基、２−ブテニル基、３−ブテニル基、１−メチル−４−ペンテニル基、２−ペンテニル基、４−ペンテニル基、１−メチル−２−ブテニル基、２−ヘキセニル基、３−ヘキセニル基、４−ヘキセニル基、５−ヘキセニル基、２−ヘプテニル基、１−ビニルヘキシル基、３−ノネニル基、６−ノネニル基、９−デセニル基、１０−ウンデセニル基、１３−テトラデセニル基、１５−ヘキサデセニル基、１７−オクタデセニル基、２３−ｎ−テトラコセニル基、１−シクロペンテニル基、１−シクロヘキセニル基、エトキシビニル基、ｎ−ブトキシビニル基、ベンジルビニル基、スチリル基、スチリルメチル基、２−スチリルエチル基、２，２−ジフェニルビニル基、２−（４’−メチルフェニル）ビニル基、２−（３’−メチルフェニル）ビニル基、２−（４’−メトキシフェニル）ビニル基、２−（４’−クロロフェニル）ビニル基、フェニルオキシビニル基などの直鎖、分岐または環状のアルケニル基、
【００５２】
例えば、ビニルオキシ基、アリルオキシ基、２−ブテニルオキシ基、３−ブテニルオキシ基、１−メチル−４−ペンテニルオキシ基、２−ペンテニルオキシ基、４−ペンテニルオキシ基、１−メチル−２−ブテニルオキシ基、２−ヘキセニルオキシ基、３−ヘキセニルオキシ基、４−ヘキセニルオキシ基、５−ヘキセニルオキシ基、２−ヘプテニルオキシ基、１−ビニルヘキシルオキシ基、３−ノネニルオキシ基、６−ノネニルオキシ基、９−デセニルオキシ基、１０−ウンデセニルオキシ基、１３−テトラデセニルオキシ基、１５−ヘキサデセニルオキシ基、１７−オクタデセニルオキシ基、２３−テトラコセニルオキシ基、１−シクロペンテニルオキシ基、１−シクロヘキセニルオキシ基、エトキシビニルオキシ基、ｎ−ブトキシビニルオキシ基、ベンジルビニルオキシ基、スチリルオキシ基、フェニルオキシビニルオキシ基などの直鎖、分岐または環状のアルケニルオキシ基、
【００５３】
例えば、ビニルチオ基、アリルチオ基、２−ブテニルチオ基、３−ブテニルチオ基、４−ペンテニルチオ基、５−ヘキセニルチオ基、９−デセニルチオ基、１３−テトラデセニルチオ基、１５−ヘキサデセニルチオ基、１７−オクタデセニルチオ基、２３−テトラコセニルチオ基、１−シクロヘキセニルチオ基、ｎ−ブトキシビニルチオ基などの直鎖、分岐または環状のアルケニルチオ基、
【００５４】
例えば、ベンジル基、α−メチルベンジル基、α−エチルベンジル基、フェネチル基、α−メチルフェネチル基、β−メチルフェネチル基、α，α−ジメチルベンジル基、α，α−ジメチルフェネチル基、４−メチルフェネチル基、４−メチルベンジル基、３−メチルベンジル基、２−メチルベンジル基、４−エチルベンジル基、２−エチルベンジル基、４−イソプロピルベンジル基、４−tert−ブチルベンジル基、２−tert−ブチルベンジル基、４−tert−ペンチルベンジル基、４−シクロヘキシルベンジル基、４−ｎ−オクチルベンジル基、４−tert−オクチルベンジル基、４−アリルベンジル基、４−ベンジルベンジル基、４−フェネチルベンジル基、４−フェニルベンジル基、４−（４’−メチルフェニル）ベンジル基、４−メトキシベンジル基、２−メトキシベンジル基、２−エトキシベンジル基、４−ｎ−ブトキシベンジル基、４−ｎ−ヘプチルオキシベンジル基、４−ｎ−デシルオキシベンジル基、４−ｎ−テトラデシルオキシベンジル基、４−ｎ−ヘプタデシルオキシベンジル基、
【００５５】
３，４−ジメトキシベンジル基、４−メトキシメチルベンジル基、４−イソブトキシメチルベンジル基、４−アリルオキシベンジル基、４−ビニルオキシメチルベンジル基、４−ベンジルオキシベンジル基、４−フェネチルオキシベンジル基、４−フェニルオキシベンジル基、３−フェニルオキシベンジル基、４−ヒドロキシベンジル基、３−ヒドロキシベンジル基、２−ヒドロキシベンジル基、４−ヒドロキシ−３−メトキシベンジル基、４−フルオロベンジル基、２−フルオロベンジル基、４−クロロベンジル基、３−クロロベンジル基、２−クロロベンジル基、３，４−ジクロロベンジル基、２−フルフリル基、ジフェニルメチル基、１−ナフチルメチル基、２−ナフチルメチル基などの置換基を有していてもよいアラルキル基、
【００５６】
例えば、ベンジルオキシ基、フェネチルオキシ基、β−メチルフェネチルオキシ基、４−メチルフェネチルオキシ基、４−メチルベンジルオキシ基、３−メチルベンジルオキシ基、２−メチルベンジルオキシ基、４−エチルベンジルオキシ基、４−イソプロピルベンジルオキシ基、４−tert−ブチルベンジルオキシ基、４−シクロヘキシルベンジルオキシ基、４−ｎ−オクチルベンジルオキシ基、４−アリルベンジルオキシ基、４−ベンジルベンジルオキシ基、４−フェニルベンジルオキシ基、４−（４’−メチルフェニル）ベンジルオキシ基、４−メトキシベンジルオキシ基、２−メトキシベンジルオキシ基、２−エトキシベンジルオキシ基、４−ｎ−ブトキシベンジルオキシ基、４−ｎ−ヘプチルオキシベンジルオキシ基、４−ｎ−デシルオキシベンジルオキシ基、４−ｎ−テトラデシルオキシベンジルオキシ基、４−ｎ−ヘプタデシルオキシベンジルオキシ基、３，４−ジメトキシベンジルオキシ基、４−メトキシメチルベンジルオキシ基、４−イソブトキシメチルベンジルオキシ基、４−アリルオキシベンジルオキシ基、４−ビニルオキシメチルベンジルオキシ基、４−ベンジルオキシベンジルオキシ基、４−フェネチルオキシベンジルオキシ基、４−フェニルオキシベンジルオキシ基、３−フェニルオキシベンジルオキシ基、４−ヒドロキシベンジルオキシ基、４−フルオロベンジルオキシ基、４−クロロベンジルオキシ基、３−クロロベンジルオキシ基、３，４−ジクロロベンジルオキシ基、１−ナフチルメチルオキシ基、２−ナフチルメチルオキシ基などの置換基を有していてもよいアラルキルオキシ基、
【００５７】
例えば、ベンジルチオ基、フェネチルチオ基、β−メチルフェネチルオキシ基、４−メチルフェネチルチオ基、４−メチルベンジルチオ基、３−メチルベンジルチオ基、４−エチルベンジルチオ基、４−イソプロピルベンジルチオ基、４−tert−ブチルベンジルチオ基、４−シクロヘキシルベンジルチオ基、４−ｎ−オクチルベンジルチオ基、４−アリルベンジルチオ基、４−ベンジルベンジルチオ基、４−フェニルベンジルチオ基、４−（４’−メチルフェニル）ベンジルチオ基、４−メトキシベンジルチオ基、２−メトキシベンジルチオ基、２−エトキシベンジルチオ基、４−ｎ−ブトキシベンジルチオ基、４−ｎ−ヘプチルオキシベンジルチオ基、４−ｎ−デシルオキシベンジルチオ基、４−ｎ−テトラデシルオキシベンジルチオ基、４−ｎ−ヘプタデシルオキシベンジルチオ基、３，４−ジメトキシベンジルチオ基、４−メトキシメチルベンジルチオ基、４−アリルオキシベンジルチオ基、４−ベンジルオキシベンジルチオ基、４−フェネチルオキシベンジルチオ基、４−フェニルオキシベンジルチオ基、３−フェニルオキシベンジルチオ基、４−ヒドロキシベンジルチオ基、４−フルオロベンジルチオ基、４−クロロベンジルチオ基、１−ナフチルメチルチオ基、２−ナフチルメチルチオ基などの置換基を有していてもよいアラルキルチオ基、例えば、フェニル基、１−ナフチル基、２−ナフチル基、２−アントラセニル基、９−アントラセニル基、フルオレニル基、４−キノリル基、４−ピリジル基、３−ピリジル基、２−ピリジル基、３−フリル基、２−フリル基、３−チエニル基、２−チエニル基、２−オキサゾリル基、２−チアゾリル基、２−ベンゾオキサゾリル基、２−ベンゾチアゾリル基、２−ベンゾイミダゾリル基、
【００５８】
４−メチルフェニル基、３−メチルフェニル基、２−メチルフェニル基、４−エチルフェニル基、３−エチルフェニル基、２−エチルフェニル基、４−ｎ−プロピルフェニル基、４−イソプロピルフェニル基、２−イソプロピルフェニル基、４−ｎ−ブチルフェニル基、４−イソブチルフェニル基、４−sec −ブチルフェニル基、２−sec −ブチルフェニル基、４−tert−ブチルフェニル基、３−tert−ブチルフェニル基、２−tert−ブチルフェニル基、４−ｎ−ペンチルフェニル基、４−イソペンチルフェニル基、４−tert−ペンチルフェニル基、４−ｎ−ヘキシルフェニル基、４−ｎ−ヘプチルフェニル基、４−ｎ−オクチルフェニル基、４−（２’−エチルヘキシル）フェニル基、４−tert−オクチルフェニル基、４−ｎ−ノニルフェニル基、４−ｎ−デシルフェニル基、４−ｎ−ドデシルフェニル基、４−ｎ−テトラデシルフェニル基、４−ｎ−ヘキサデシルフェニル基、４−ｎ−オクタデシルフェニル基、４−シクロペンチルフェニル基、４−シクロヘキシルフェニル基、４−（４’−tert−ブチルシクロヘキシル）フェニル基、４−（４’−メチルシクロヘキシル）フェニル基、３−シクロヘキシルフェニル基、２−シクロヘキシルフェニル基、４−エチル−１−ナフチル基、６−ｎ−ブチル−２−ナフチル基、
【００５９】
２，３−ジメチルフェニル基、２，４−ジメチルフェニル基、２，５−ジメチルフェニル基、３，４−ジメチルフェニル基、３，５−ジメチルフェニル基、２，６−ジメチルフェニル基、２，３，５−トリメチルフェニル基、３，４，５−トリメチルフェニル基、２，４−ジエチルフェニル基、２，３，６−トリメチルフェニル基、２，４，６−トリメチルフェニル基、２，６−ジエチルフェニル基、２，６−ジイソプロピルフェニル基、２，６−ジイソブチルフェニル基、２，４−ジ−tert−ブチルフェニル基、２，５−ジ−tert−ブチルフェニル基、３，５−ジ−tert−ブチルフェニル基、２，４−ジネオペンチルフェニル基、２，５−ジ−tert−ペンチルフェニル基、４，６−ジ−tert−ブチル−２−メチルフェニル基、５−tert−ブチル−２−メチルフェニル基、４−tert−ブチル−２，６−ジメチルフェニル基、２，３，５，６−テトラメチルフェニル基、５−インダニル基、１，２，３，４−テトラヒドロ−５−ナフチル基、１，２，３，４−テトラヒドロ−６−ナフチル基、
【００６０】
４−メトキシフェニル基、３−メトキシフェニル基、２−メトキシフェニル基、４−エトキシフェニル基、２−エトキシフェニル基、３−ｎ−プロポキシフェニル基、４−イソプロポキシフェニル基、２−イソプロポキシフェニル基、４−ｎ−ブトキシフェニル基、４−イソブトキシフェニル基、２−イソブトキシフェニル基、２−sec −ブトキシフェニル基、４−ｎ−ペンチルオキシフェニル基、４−イソペンチルオキシフェニル基、２−イソペンチルオキシフェニル基、２−ネオペンチルオキシフェニル基、４−ｎ−ヘキシルオキシフェニル基、２−（２’−エチルブチル）オキシフェニル基、４−ｎ−オクチルオキシフェニル基、４−ｎ−デシルオキシフェニル基、４−ｎ−ドデシルオキシフェニル基、４−ｎ−テトラデシルオキシフェニル基、４−ｎ−ヘキサデシルオキシフェニル基、４−ｎ−オクタデシルオキシフェニル基、４−シクロヘキシルオキシフェニル基、２−シクロヘキシルオキシフェニル基、２−メトキシ−１−ナフチル基、４−メトキシ−１−ナフチル基、４−ｎ−ブトキシ−１−ナフチル基、５−エトキシ−１−ナフチル基、６−エトキシ−２−ナフチル基、６−ｎ−ブトキシ−２−ナフチル基、６−ｎ−ヘキシルオキシ−２−ナフチル基、７−メトキシ−２−ナフチル基、７−ｎ−ブトキシ−２−ナフチル基、
【００６１】
２，３−ジメトキシフェニル基、２，４−ジメトキシフェニル基、２，５−ジメトキシフェニル基、２，６−ジメトキシフェニル基、３，４−ジメトキシフェニル基、３，５−ジメトキシフェニル基、３，５−ジエトキシフェニル基、３，５−ジ−ｎ−ブトキシフェニル基、２−メトキシ−４−メチルフェニル基、２−メトキシ−５−メチルフェニル基、２−メチル−４−メトキシフェニル基、３−メチル−４−メトキシフェニル基、３−メチル−５−メトキシフェニル基、３−エチル−５−メトキシフェニル基、２−メトキシ−４−エトキシフェニル基、２−メトキシ−６−エトキシフェニル基、３，４，５−トリメトキシフェニル基、
【００６２】
４−フルオロフェニル基、３−フルオロフェニル基、２−フルオロフェニル基、４−クロロフェニル基、３−クロロフェニル基、２−クロロフェニル基、４−ブロモフェニル基、２−ブロモフェニル基、４−クロロ−１−ナフチル基、４−クロロ−２−ナフチル基、６−ブロモ−２−ナフチル基、２，３−ジフルオロフェニル基、２，４−ジフルオロフェニル基、２，５−ジフルオロフェニル基、２，６−ジフルオロフェニル基、３，４−ジフルオロフェニル基、３，５−ジフルオロフェニル基、２，３−ジクロロフェニル基、２，４−ジクロロフェニル基、２，５−ジクロロフェニル基、２，６−ジクロロフェニル基、３，４−ジクロロフェニル基、３，５−ジクロロフェニル基、２，５−ジブロモフェニル基、２，４，６−トリクロロフェニル基、２，３，６−トリブロモフェニル基、３，４，５−トリフルオロフェニル基、２，４−ジクロロ−１−ナフチル基、１，６−ジクロロ−２−ナフチル基、
【００６３】
２−フルオロ−４−メチルフェニル基、２−フルオロ−５−メチルフェニル基、３−フルオロ−２−メチルフェニル基、３−フルオロ−４−メチルフェニル基、４−フルオロ−２−メチルフェニル基、５−フルオロ−２−メチルフェニル基、２−クロロ−４−メチルフェニル基、２−クロロ−５−メチルフェニル基、２−クロロ−６−メチルフェニル基、３−クロロ−２−メチルフェニル基、４−クロロ−２−メチルフェニル基、４−クロロ−３−メチルフェニル基、２−クロロ−４，６−ジメチルフェニル基、２−フルオロ−４−メトキシフェニル基、２−フルオロ−６−メトキシフェニル基、３−フルオロ−４−エトキシフェニル基、５−クロロ−２−メトキシフェニル基、６−クロロ−３−メトキシフェニル基、５−クロロ−２，４−ジメトキシフェニル基、２−クロロ−４−ニトロフェニル基、４−クロロ−２−ニトロフェニル基、４−トリフルオロメチルフェニル基、３−トリフルオロメチルフェニル基、２−トリフルオロメチルフェニル基、３，５−ビス（トリフルオロメチル）フェニル基、４−トリフルオロメチルオキシフェニル基、
【００６４】
４−アリルフェニル基、２−アリルフェニル基、２−イソプロペニルフェニル基、４−ベンジルフェニル基、２−ベンジルフェニル基、４−（４’−メチルベンジル）フェニル基、４−クミルフェニル基、４−（４’−メトキシクミル）フェニル基、４−フェニルフェニル基、３−フェニルフェニル基、２−フェニルフェニル基、４−（４’−メチルフェニル）フェニル基、４−（４’−エチルフェニル）フェニル基、４−（４’−イソプロピルフェニル）フェニル基、４−（４’−tert−ブチルフェニル）フェニル基、４−（４’−ｎ−ヘキシルフェニル）フェニル基、４−（４’−ｎ−オクチルフェニル）フェニル基、４−（４’−メトキシフェニル）フェニル基、４−（４’−エトキシフェニル）フェニル基、４−（４’−ｎ−ブトキシフェニル）フェニル基、２−（２’−メトキシフェニル）フェニル基、４−（４’−フルオロフェニル）フェニル基、４−（４’−クロロフェニル）フェニル基、３−メチル−４−フェニル基、２−メトキシ−５−フェニルフェニル基、３−メトキシ−４−フェニルフェニル基、
【００６５】
４−メトキシメチルフェニル基、４−エトキシメチルフェニル基、４−ｎ−ブトキシメチルフェニル基、３−メトキシメチルフェニル基、４−（２’−メトキシエチル）フェニル基、４−（２’−エトキシエチルオキシ）フェニル基、４−（２’−ｎ−ブトキシエチルオキシ）フェニル基、４−（３’−エトキシプロピルオキシ）フェニル基、４−ビニルオキシフェニル基、４−アリルオキシフェニル基、３−アリルオキシフェニル基、４−（４’−ペンテニルオキシ）フェニル基、４−アリルオキシ−１−ナフチル基、４−アリルオキシメチルフェニル基、４−（２’−アリルオキシエチルオキシ）フェニル基、
【００６６】
４−ベンジルオキシフェニル基、２−ベンジルオキシフェニル基、４−フェネチルオキシフェニル基、４−（４’−クロロベンジルオキシ）フェニル基、４−（４’−メチルベンジルオキシ）フェニル基、４−（４’−メトキシベンジルオキシ）フェニル基、４−（３’−エトキシベンジルオキシ）フェニル基、４−ベンジルオキシ−１−ナフチル基、５−（４’−メチルベンジルオキシ）−１−ナフチル基、６−ベンジルオキシ−２−ナフチル基、６−（４’−メチルベンジルオキシ）−２−ナフチル基、７−ベンジルオキシ−２−ナフチル基、４−（ベンジルオキシメチル）フェニル基、４−（２’−ベンジルオキシエチルオキシ）フェニル基、
【００６７】
４−フェニルオキシフェニル基、３−フェニルオキシフェニル基、２−フェニルオキシフェニル基、４−（４’−メチルフェニルオキシ）フェニル基、４−（４’−メトキシフェニルオキシ）フェニル基、４−（４’−クロロフェニルオキシ）フェニル基、４−フェニルオキシ−１−ナフチル基、６−フェニルオキシ−２−ナフチル基、７−フェニルオキシ−２−ナフチル基、４−フェニルオキシメチルフェニル基、４−（２’−フェニルオキシエチルオキシ）フェニル基、４−〔２’−（４’−メチルフェニルオキシ）エチルオキシ〕フェニル基、４−〔２’−（４’−メトキシフェニルオキシ）エチルオキシ〕フェニル基、４−〔２’−（４’−クロロフェニルオキシ）エチルオキシ〕フェニル基、４−アセチルフェニル基、３−アセチルフェニル基、２−アセチルフェニル基、４−エチルカルボニルフェニル基、２−エチルカルボニルフェニル基、４−ｎ−ブチルカルボニルフェニル基、４−ｎ−ヘキシルカルボニルフェニル基、４−ｎ−オクチルカルボニルフェニル基、４−シクロヘキシルカルボニルフェニル基、４−アセチル−１−ナフチル基、６−アセチル−２−ナフチル基、６−ｎ−ブチルカルボニル−２−ナフチル基、４−アリルカルボニルフェニル基、４−ベンジルカルボニルフェニル基、４−（４’−メチルベンジル）カルボニルフェニル基、４−フェニルカルボニルフェニル基、４−（４’−メチルフェニル）カルボニルフェニル基、４−（４’−クロロフェニル）カルボニルフェニル基、４−フェニルカルボニル−１−ナフチル基、
【００６８】
４−メトキシカルボニルフェニル基、２−メトキシカルボニルフェニル基、４−エトキシカルボニルフェニル基、３−エトキシカルボニルフェニル基、４−ｎ−プロポキシカルボニルフェニル基、４−ｎ−ブトキシカルボニルフェニル基、４−ｎ−ヘキシルオキシカルボニルフェニル基、４−ｎ−デシルオキシカルボニルフェニル基、４−シクロヘキシルオキシカルボニルフェニル基、４−エトキシカルボニル−１−ナフチル基、６−メトキシカルボニル−２−ナフチル基、６−ｎ−ブトキシカルボニル−２−ナフチル基、４−アリルオキシカルボニルフェニル基、４−ベンジルオキシカルボニルフェニル基、４−（４’−クロロベンジル）オキシカルボニルフェニル基、４−フェネチルオキシカルボニルフェニル基、６−ベンジルオキシカルボニル−２−ナフチル基、４−フェニルオキシカルボニルフェニル基、４−（４’−エチルフェニル）オキシカルボニルフェニル基、４−（４’−クロロフェニル）オキシカルボニルフェニル基、４−（４’−エトキシフェニル）オキシカルボニルフェニル基、６−フェニルオキシカルボニル−２−ナフチル基、
【００６９】
４−アセチルオキシフェニル基、３−アセチルオキシフェニル基、２−アセチルオキシフェニル基、４−エチルカルボニルオキシフェニル基、２−エチルカルボニルオキシフェニル基、４−ｎ−プロピルカルボニルオキシフェニル基、４−ｎ−ペンチルカルボニルオキシフェニル基、４−ｎ−オクチルカルボニルオキシフェニル基、４−シクロヘキシルカルボニルオキシフェニル基、３−シクロヘキシルカルボニルオキシフェニル基、４−アセチルオキシ−１−ナフチル基、４−ｎ−ブチルカルボニルオキシ−１−ナフチル基、５−アセチルオキシ−１−ナフチル基、６−エチルカルボニルオキシ−２−ナフチル基、７−アセチルオキシ−２−ナフチル基、４−アリルカルボニルオキシフェニル基、４−ベンジルカルボニルオキシフェニル基、４−フェネチルカルボニルオキシフェニル基、６−ベンジルカルボニルオキシ−２−ナフチル基、４−フェニルカルボニルオキシフェニル基、４−（４’−メチルフェニル）カルボニルオキシフェニル基、４−（２’−メチルフェニル）カルボニルオキシフェニル基、４−（４’−クロロフェニル）カルボニルオキシフェニル基、４−（２’−クロロフェニル）カルボニルオキシフェニル基、４−フェニルカルボニルオキシ−１−ナフチル基、６−フェニルカルボニルオキシ−２−ナフチル基、７−フェニルカルボニルオキシ−２−ナフチル基、
【００７０】
４−メチルチオフェニル基、２−メチルチオフェニル基、２−エチルチオフェニル基、３−エチルチオフェニル基、４−ｎ−プロピルチオフェニル基、２−イソプロピルチオフェニル基、４−ｎ−ブチルチオフェニル基、２−イソブチルチオフェニル基、２−ネオペンチルフェニル基、４−ｎ−ヘキシルチオフェニル基、４−ｎ−オクチルチオフェニル基、４−シクロヘキシルチオフェニル基、
４−ベンジルチオフェニル基、３−ベンジルチオフェニル基、２−ベンジルチオフェニル基、４−（４’−クロロベンジルチオ）フェニル基、４−フェニルチオフェニル基、３−フェニルチオフェニル基、２−フェニルチオフェニル基、４−（４’−メチルフェニルチオ）フェニル基、４−（３’−メチルフェニルチオ）フェニル基、４−（４’−メトキシフェニルチオ）フェニル基、４−（４’−クロロフェニルチオ）フェニル基、２−エチルチオ−１−ナフチル基、４−メチルチオ−１−ナフチル基、６−エチルチオ−２−ナフチル基、６−フェニルチオ−２−ナフチル基、
【００７１】
４−ニトロフェニル基、３−ニトロフェニル基、２−ニトロフェニル基、３，５−ジニトロフェニル基、４−ニトロ−１−ナフチル基、４−ホルミルフェニル基、３−ホルミルフェニル基、２−ホルミルフェニル基、４−ホルミル−１−ナフチル基、１−ホルミル−２−ナフチル基、
【００７２】
４−ピロリジノフェニル基、４−ピペリジノフェニル基、４−モルフォリノフェニル基、４−（Ｎ−エチルピペラジノ）フェニル基、４−ピロリジノ−１−ナフチル基、
【００７３】
４−アミノフェニル基、３−アミノフェニル基、２−アミノフェニル基、
４−（Ｎ−メチルアミノ）フェニル基、３−（Ｎ−メチルアミノ）フェニル基、４−（Ｎ−エチルアミノ）フェニル基、２−（Ｎ−イソプロピルアミノ）フェニル基、４−（Ｎ−ｎ−ブチルアミノ）フェニル基、２−（Ｎ−ｎ−ブチルアミノ）フェニル基、４−（Ｎ−ｎ−オクチルアミノ）フェニル基、４−（Ｎ−ｎ−ドデシルアミノ）フェニル基、４−（Ｎ−ベンジルアミノ）フェニル基、４−（Ｎ−フェニルアミノ）フェニル基、２−（Ｎ−フェニルアミノ）フェニル基、
【００７４】
４−（Ｎ，Ｎ−ジメチルアミノ）フェニル基、３−（Ｎ，Ｎ−ジメチルアミノ）フェニル基、４−（Ｎ，Ｎ−ジエチルアミノ）フェニル基、２−（Ｎ，Ｎ−ジメチルアミノ）フェニル基、２−（Ｎ，Ｎ−ジエチルアミノ）フェニル基、４−（Ｎ，Ｎ−ジ−ｎ−ブチルアミノ）フェニル基、４−（Ｎ，Ｎ−ジ−ｎ−ヘキシルアミノ）フェニル基、４−（Ｎ−シクロヘキシル−Ｎ−メチルアミノ）フェニル基、４−（Ｎ，Ｎ−ジエチルアミノ）−１−ナフチル基、４−（Ｎ−ベンジル−Ｎ−フェニルアミノ）フェニル基、４−（Ｎ，Ｎ−ジフェニルアミノ）フェニル基、４−〔Ｎ−フェニル−Ｎ−（４−メチルフェニル）アミノ〕フェニル基、４−〔Ｎ，Ｎ−ジ（３’−メチルフェニル）アミノ〕フェニル基、４−〔Ｎ，Ｎ−ジ（４’−メチルフェニル）アミノ〕フェニル基、４−〔Ｎ，Ｎ−ジ（４’−メトキシフェニル）アミノ〕フェニル基、２−（Ｎ，Ｎ−ジフェニルアミノ）フェニル基、
【００７５】
４−ヒドロキシフェニル基、３−ヒドロキシフェニル基、２−ヒドロキシフェニル基、４−メチル−３−ヒドロキシフェニル基、６−メチル−３−ヒドロキシフェニル基、２−ヒドロキシ−１−ナフチル基、８−ヒドロキシ−１−ナフチル基、４−ヒドロキシ−１−ナフチル基、１−ヒドロキシ−２−ナフチル基、６−ヒドロキシ−２−ナフチル基、４−シアノフェニル基、２−シアノフェニル基、４−シアノ−１−ナフチル基、６−シアノ−２−ナフチル基などの置換基を有していてもよいアリール基、
【００７６】
例えば、フェニルオキシ基、２−メチルフェニルオキシ基、３−メチルフェニルオキシ基、４−メチルフェニルオキシ基、４−エチルフェニルオキシ基、４−ｎ−プロピルフェニルオキシ基、４−イソプロピルフェニルオキシ基、４−ｎ−ブチルフェニルオキシ基、４−tert−ブチルフェニルオキシ基、４−イソペンチルフェニルオキシ基、４−tert−ペンチルフェニルオキシ基、４−ｎ−ヘキシルフェニルオキシ基、４−シクロヘキシルフェニルオキシ基、４−ｎ−オクチルフェニルオキシ基、４−ｎ−デシルフェニルオキシ基、４−ｎ−オクタデシルフェニルオキシ基、
【００７７】
２，３−ジメチルフェニルオキシ基、２，４−ジメチルフェニルオキシ基、２，５−ジメチルフェニルオキシ基、３，４−ジメチルフェニルオキシ基、５−インダニルオキシ基、１，２，３，４−テトラヒドロ−５−ナフチルオキシ基、１，２，３，４−テトラヒドロ−６−ナフチルオキシ基、２−メトキシフェニルオキシ基、３−メトキシフェニルオキシ基、４−メトキシフェニルオキシ基、３−エトキシフェニルオキシ基、４−エトキシフェニルオキシ基、４−ｎ−プロポキシフェニルオキシ基、４−イソプロポキシフェニルオキシ基、４−ｎ−ブトキシフェニルオキシ基、４−ｎ−ペンチルオキシフェニルオキシ基、４−ｎ−ヘキシルオキシフェニルオキシ基、４−シクロヘキシルオキシフェニルオキシ基、４−ｎ−ヘプチルオキシフェニルオキシ基、４−ｎ−オクチルオキシフェニルオキシ基、４−ｎ−デシルオキシフェニルオキシ基、２，３−ジメトキシフェニルオキシ基、２，５−ジメトキシフェニルオキシ基、３，４−ジメトキシフェニルオキシ基、２−メトキシ−５−メチルフェニルオキシ基、３−メチル−４−メトキシフェニルオキシ基、２−フルオロフェニルオキシ基、３−フルオロフェニルオキシ基、４−フルオロフェニルオキシ基、２−クロロフェニルオキシ基、３−クロロフェニルオキシ基、４−クロロフェニルオキシ基、４−ブロモフェニルオキシ基、４−トリフルオロメチルフェニルオキシ基、３，４−ジクロロフェニルオキシ基、２−メチル−４−クロロフェニルオキシ基、２−クロロ−４−メチルフェニルオキシ基、３−クロロ−４−メチルフェニルオキシ基、２−クロロ−４−メトキシフェニルオキシ基、４−フェニルフェニルオキシ基、３−フェニルフェニルオキシ基、４−（４’−メチルフェニル）フェニルオキシ基、４−（４’−メトキシフェニル）フェニルオキシ基、１−ナフチルオキシ基、２−ナフチルオキシ基、４−エトキシ−１−ナフチルオキシ基、６−メトキシ−２−ナフチルオキシ基、７−エトキシ−２−ナフチルオキシ基、２−フリルオキシ基、２−チエニルオキシ基、３−チエニルオキシ基、２−ピリジルオキシ基、３−ピリジルオキシ基、４−ピリジルオキシ基などの置換基を有していてもよいアリールオキシ基、
【００７８】
例えば、フェニルチオ基、３−メチルフェニルチオ基、４−メチルフェニルチオ基、４−エチルフェニルチオ基、４−ｎ−プロピルフェニルチオ基、４−ｎ−ブチルフェニルチオ基、４−tert−ブチルフェニルチオ基、４−ｎ−ヘキシルフェニルチオ基、４−シクロヘキシルフェニルチオ基、４−ｎ−オクチルフェニルチオ基、４−ｎ−ドデシルフェニルチオ基、４−ｎ−オクタデシルフェニルチオ基、２，３−ジメチルフェニルチオ基、３，４−ジメチルフェニルチオ基、３−メトキシフェニルチオ基、４−メトキシフェニルチオ基、３−エトキシフェニルチオ基、４−エトキシフェニルチオ基、４−ｎ−プロポキシフェニルチオ基、４−ｎ−ブトキシフェニルチオ基、４−ｎ−ヘキシルオキシフェニルチオ基、４−ｎ−オクチルオキシフェニルチオ基、４−ｎ−デシルオキシフェニルチオ基、３，４−ジメトキシフェニルチオ基、３−メチル−４−メトキシフェニルチオ基、３−フルオロフェニルチオ基、４−フルオロフェニルチオ基、４−クロロフェニルチオ基、２−メチル−４−クロロフェニルチオ基、２−クロロ−４−メトキシフェニルチオ基、４−フェニルフェニルチオ基、４−（４’−メチルフェニル）フェニルチオ基、４−（４’−メトキシフェニル）フェニルチオ基、１−ナフチルチオ基、２−ナフチルチオ基などの置換基を有していてもよいアリールチオ基、シアノ基、水酸基、ニトロ基、
【００７９】
例えば、カルボキシル基、メトキシカルボニル基、エトキシカルボニル基、ｎ−プロポキシカルボニル基、ｎ−ブトキシカルボニル基、イソブトキシカルボニル基、ｎ−ペンチルオキシカルボニル基、ｎ−ヘキシルオキシカルボニル基、ｎ−オクチルオキシカルボニル基、２−エチルヘキシルオキシカルボニル基、ｎ−デシルオキシカルボニル基、ｎ−ドデシルオキシカルボニル基、ｎ−テトラデシルオキシカルボニル基、ｎ−ヘキサデシルオキシカルボニル基、ｎ−オクタデシルオキシカルボニル基、シクロヘキシルオキシカルボニル基、
【００８０】
ベンジルオキシカルボニル基、フェネチルオキシカルボニル基、（４−メチルベンジルオキシ）カルボニル基、（３−メチルベンジルオキシ）カルボニル基、（４−tert−ブチルベンジルオキシ）カルボニル基、（４−メトキシベンジルオキシ）カルボニル基、（４−クロロベンジルオキシ）カルボニル基、
フェニルオキシカルボニル基、（４−メチルフェニルオキシ）カルボニル基、（３−メチルフェニルオキシ）カルボニル基、（４−エチルフェニルオキシ）カルボニル基、（４−tert−ブチルフェニルオキシ）カルボニル基、（４−メトキシフェニルオキシ）カルボニル基、（２−メトキシフェニルオキシ）カルボニル基、（４−エトキシフェニルオキシ）カルボニル基、（４−フルオロフェニルオキシ）カルボニル基などの−ＣＯＯＲ1 基（基中、Ｒ1 は前記に同じ意味を表す）、
【００８１】
例えば、ホルミル基、メチルカルボニル基、エチルカルボニル基、ｎ−プロピルカルボニル基、ｎ−ブチルカルボニル基、ｎ−ヘキシルカルボニル基、ｎ−オクチルカルボニル基、２−エチルヘキシルカルボニル基、ｎ−デシルカルボニル基、ｎ−ドデシルカルボニル基、ｎ−テトラデシルカルボニル基、ｎ−ヘキサデシルカルボニル基、ｎ−オクタデシルカルボニル基、シクロヘキシルカルボニル基、ベンジルカルボニル基、フェネチルカルボニル基、（４−メチルベンジル）カルボニル基、（４−tert−ブチルベンジル）カルボニル基、（４−メトキシベンジル）カルボニル基、（４−クロロベンジル）カルボニル基、フェニルカルボニル基、（４−メチルフェニル）カルボニル基、（３−メチルフェニル）カルボニル基、（４−エチルフェニル）カルボニル基、（４−tert−ブチルフェニル）カルボニル基、（４−メトキシフェニル）カルボニル基、（２−メトキシフェニル）カルボニル基、（４−エトキシフェニル）カルボニル基、（４−フルオロフェニル）カルボニル基、アミド、置換アミドなどの−ＣＯＲ2 基（基中、Ｒ2 は前記に同じ意味を表す）、
【００８２】
例えば、メチルカルボニルオキシ基、エチルカルボニルオキシ基、ｎ−プロピルカルボニルオキシ基、ｎ−ブチルカルボニルオキシ基、ｎ−ペンチルカルボニルオキシ基、ｎ−ヘキシルカルボニルオキシ基、ｎ−オクチルカルボニルオキシ基、２−エチルヘキシルカルボニルオキシ基、ｎ−デシルカルボニルオキシ基、ｎ−ドデシルカルボニルオキシ基、ｎ−テトラデシルカルボニルオキシ基、ｎ−ヘキサデシルカルボニルオキシ基、ｎ−オクタデシルカルボニルオキシ基、シクロヘキシルカルボニルオキシ基、ベンジルカルボニルオキシ基、フェネチルカルボニルオキシ基、（４’−メチルベンジルカルボニル）オキシ基、（４’−tert−ブチルベンジルカルボニル）オキシ基、（４’−メトキシベンジルカルボニル）オキシ基、（４’−クロロベンジルカルボニル）オキシ基、フェニルカルボニルオキシ基、（４’−メチルフェニルカルボニル）オキシ基、（３’−メチルフェニルカルボニル）オキシ基、（４’−エチルフェニルカルボニル）オキシ基、（４’−tert−ブチルフェニルカルボニル）オキシ基、（４’−メトキシフェニルカルボニル）オキシ基、（２’−メトキシフェニルカルボニル）オキシ基、（４’−エトキシフェニルカルボニル）オキシ基、（４’−フルオロフェニルカルボニル）オキシ基などの−ＯＣＯＲ3基（基中、Ｒ3 は前記に同じ意味を表す）、アミノ基、Ｎ−メチルアミノ基、Ｎ−エチルアミノ基、Ｎ−イソプロピルアミノ基、Ｎ−ｎ−ブチルアミノ基、Ｎ−ｎ−ヘキシルアミノ基、Ｎ−ｎ−デシルアミノ基、Ｎ−ｎ−テトラデシルアミノ基、Ｎ，Ｎ−ジメチルアミノ基、Ｎ，Ｎ−ジエチルアミノ基、Ｎ，Ｎ―ジ−ｎ−ブチルアミノ基、Ｎ，Ｎ−ジ−ｎ−ヘキシルアミノ基、Ｎ，Ｎ−ジ−ｎ−ドデシルアミノ基、Ｎ−フェニルアミノ基、Ｎ−（４−メチルフェニル）アミノ基、Ｎ，Ｎ−ジフェニルアミノ基、Ｎ−メチル−Ｎ−フェニルアミノ基、Ｎ−ｎ−ブチル−Ｎ−フェニルアミノ基、Ｎ，Ｎ−ジ−１−ナフチルアミノ基、Ｎ，Ｎ−ジ−２−ナフチルアミノ基、Ｎ−フェニル−Ｎ−１−ナフチルアミノ基、Ｎ−フェニル−Ｎ−２−ナフチルアミノ基、Ｎ−１−ナフチル−Ｎ−２’−ナフチルアミノ基、Ｎ−フェニル−Ｎ−９−アントラセニルアミノ基、Ｎ−フェニル−Ｎ−２−アントラセニル基、Ｎ−フェニル−Ｎ−９−フェナントレニル基、Ｎ−フェニル−Ｎ−１−ピレニル基、Ｎ−１−ナフチル−Ｎ−２’−アントラセニル基、Ｎ−１−ナフチル−Ｎ−９’−アントラセニル基、Ｎ−１−ナフチル−Ｎ−９’−フェナントレニル基、Ｎ−１−ナフチル−Ｎ−１’−ピレニル基、Ｎ−２−ナフチル−Ｎ−９’−アントラセニル基、Ｎ−２−ナフチル−Ｎ−９’−フェナントレニル基、Ｎ−２−ナフチル−Ｎ−１’−ピレニル基、Ｎ−２−ナフチル−Ｎ−２−キノリニル基、Ｎ，Ｎ−ジ（４−エチルフェニル）アミノ基、Ｎ，Ｎ−ジ（４−メトキシフェニル）アミノ基などの一般式（２）（化９）で表される基、
【００８３】
【化９】
0005010076.tif 000007
【００８４】
（基中、Ｙ1およびＹ2は前記に同じ意味をあらわす）
を挙げることができる。
【００８５】
尚、式（２）において、Ｙ1およびＹ2は水素原子、置換基を有していてもよい直鎖、分岐または環状のアルキル基、置換または未置換のアラルキル基、あるいは置換または未置換のアリール基を表し、Ｙ1およびＹ2は互いに結合して窒素原子とともに置換または未置換の芳香族環または脂肪族環を形成してよい。
【００８６】
Ｙ1およびＹ2の置換基を有していてもよい直鎖、分岐または環状のアルキル基、置換または未置換のアラルキル基、あるいは置換または未置換のアリール基の具体例としては、Ｘ1、Ｘ2、Ｘ3、Ｘ4、Ａ11〜Ａ15およびＡ21〜Ａ25で表される基の具体例として挙げた置換基を有していてもよい直鎖、分岐または環状のアルキル基、置換または未置換のアラルキル基、あるいは置換または未置換のアリール基の例を挙げることができる。
【００８７】
Ａ11〜Ａ15の少なくとも一つと、Ａ21〜Ａ25の少なくとも一つは、式（２）で表される基であり、好ましくは、Ｙ1およびＹ2が置換基を有していてもよい直鎖、分岐または環状のアルキル基、置換または未置換のアラルキル基、あるいは、置換または未置換のアリール基である式（２）で表される式（２）で表される基であり、より好ましくは、Ｙ1およびＹ2が置換または未置換のアリール基である式（２）で表される基である。
【００８８】
本発明の一般式（１）で表されるアミノ化合物は、式（２）で表される基の置換位置により（化１０）の９種の構造を取る。
【００８９】
【化１０】
0005010076.tif 000008
【００９０】
〔式中、Ｑ1およびＱ2は式（２）で表される基を表し、Ｘ1，Ｘ2，Ｘ3およびＸ4，Ａ11〜Ａ15およびＡ21〜Ａ25は前述の意味を表す〕
好ましくは、(1-A1)、(1-B2)、(1-B3)、(1-C2)および(1-C3)であり、より好ましくは、(1-B3)、(1-C2)および(1-C3)である。
また、一般式（1-A1）〜(1-A3)、(1-B1)〜（1-B3）および（1-C1）〜(1-C3)で表されるアミン化合物において、Ｑ1およびＱ2は同種であってもよく、また、異なっていても良い。
【００９１】
本発明に係る一般式（１）で表されるアミン化合物の具体例としては、例えば、以下に示す化合物を挙げることができるが、本発明はこれらに限定されるものではない。
１．１，２−ビス（Ｎ−フェニル−Ｎ−２”−ナフチル−４’−アミノフェニル）−３，４，５，６−テトラフェニルベンゼン
２．１，２−ビス（Ｎ，Ｎ−ジフェニル−４’−アミノフェニル）−３，４，５，６−テトラフェニルベンゼン
３．１，２−ビス（Ｎ，Ｎ−ジ−２”−ナフチル−４’−アミノフェニル）−３，４，５，６−テトラフェニルベンゼン
４．１，２−ビス（Ｎ，Ｎ−ジ−１”−ナフチル−４’−アミノフェニル）−３，４，５，６−テトラフェニルベンゼン
５．１，２−ビス（Ｎ−フェニル−Ｎ−１”−ナフチル−４’−アミノフェニル）−３，４，５，６−テトラフェニルベンゼン
６．１，２−ビス（Ｎ−フェニル−Ｎ−４”−フェニルフェニル−４’−アミノフェニル）−３，４，５，６−テトラフェニルベンゼン
７．１，２−ビス（Ｎ−フェニル−Ｎ−３”−フェニルフェニル−４’−アミノフェニル）−３，４，５，６−テトラフェニルベンゼン
８．１，２−ビス（Ｎ−フェニル−Ｎ−２”−フェニルフェニル−４’−アミノフェニル）−３，４，５，６−テトラフェニルベンゼン
９．１，２−ビス（Ｎ−フェニル−Ｎ−４”−シクロヘキシルフェニル−４’−アミノフェニル）−３，４，５，６−テトラフェニルベンゼン
１０．１，２−ビス（Ｎ−フェニル−Ｎ−３”−シクロヘキシルフェニル−４’−アミノフェニル）−３，４，５，６−テトラフェニルベンゼン
１１．１，２−ビス（Ｎ−フェニル−Ｎ−２”−アントラセニル−４’−アミノフェニル）−３，４，５，６−テトラフェニルベンゼン
１２．１，２−ビス（Ｎ−フェニル−Ｎ−９”−アントラセニル−４’−アミノフェニル）−３，４，５，６−テトラフェニルベンゼン
１３．１，２−ビス（Ｎ−フェニル−Ｎ−９”−フェナントレニル−４’−アミノフェニル）−３，４，５，６−テトラフェニルベンゼン
１４．１，２−ビス（Ｎ−フェニル−Ｎ−２”−キノリニル−４’−アミノフェニル）−３，４，５，６−テトラフェニルベンゼン
１５．１，２−ビス（Ｎ−フェニル−Ｎ−１”−ピレニル−４’−アミノフェニル）−３，４，５，６−テトラフェニルベンゼン
１６．１，２−ビス（Ｎ−２”−ナフチル−Ｎ−４”’−フェニルフェニル−４’−アミノフェニル）−３，４，５，６−テトラフェニルベンゼン
１７．１，２−ビス（Ｎ−２”−ナフチル−Ｎ−４”’−シクロヘキシルフェニル−４’−アミノフェニル）−３，４，５，６−テトラフェニルベンゼン
１８．１，２−ビス（Ｎ−２”−ナフチル−Ｎ−１”’−ナフチル−４’−アミノフェニル）−３，４，５，６−テトラフェニルベンゼン
１９．１，２−ビス（Ｎ−２”−ナフチル−Ｎ−９”’−アントラセニル−４’−アミノフェニル）−３，４，５，６−テトラフェニルベンゼン
２０．１，２−ビス（Ｎ−２”−ナフチル−Ｎ−９”’−フェナントレニル−４’−アミノフェニル）−３，４，５，６−テトラフェニルベンゼン
２１．１，２−ビス（Ｎ−２”−ナフチル−Ｎ−９”’−ピレニル−４’−アミノフェニル）−３，４，５，６−テトラフェニルベンゼン
２２．１，２−ビス（Ｎ−１”−ナフチル−Ｎ−４”’−フェニルフェニル−４’−アミノフェニル）−３，４，５，６−テトラフェニルベンゼン
２３．１，２−ビス（Ｎ−１”−ナフチル−Ｎ−４”’−シクロヘキシルフェニル−４’−アミノフェニル）−３，４，５，６−テトラフェニルベンゼン
２４．１，２−ビス（Ｎ−１”−ナフチル−Ｎ−２”’−フェニルフェニル−４’−アミノフェニル）−３，４，５，６−テトラフェニルベンゼン
２５．１，２−ビス（Ｎ−１”−ナフチル−Ｎ−９”’−アントラセニル−４’−アミノフェニル）−３，４，５，６−テトラフェニルベンゼン
２５．１，２−ビス（Ｎ−１”−ナフチル−Ｎ−９”’−フェナントレニル−４’−アミノフェニル）−３，４，５，６−テトラフェニルベンゼン
２６．１，２−ビス（Ｎ−１”−ナフチル−Ｎ−１”’−ピレニル−４’−アミノフェニル）−３，４，５，６−テトラフェニルベンゼン
２７．１，２−ビス（Ｎ−フェニル−Ｎ−２”−ナフチル−３’−アミノフェニル）−３，４，５，６−テトラフェニルベンゼン
２８．１，２−ビス（Ｎ−フェニル−Ｎ−２”−ナフチル−２’−アミノフェニル）−３，４，５，６−テトラフェニルベンゼン
２９．１，２−ビス（Ｎ−フェニル−Ｎ−１”−ナフチル−３’−アミノフェニル）−３，４，５，６−テトラフェニルベンゼン
３０．１，２−ビス（Ｎ−フェニル−Ｎ−１”−ナフチル−２’−アミノフェニル）−３，４，５，６−テトラフェニルベンゼン
３１．１，２−ビス（Ｎ−３”−メチルフェニル−Ｎ−１”’−ナフチル−４’−アミノフェニル）−３，４，５，６−テトラフェニルベンゼン
３２．１，２−ビス（Ｎ−２”，５”−ジメチルフェニル−Ｎ−２”’−ナフチル−４’−アミノフェニル）−３，４，５，６−テトラフェニルベンゼン
３３．１，２−ビス（Ｎ−３”−エトキシフェニル−Ｎ−１”’−ナフチル−４’−アミノフェニル）−３，４，５，６−テトラフェニルベンゼン
３４．１，２−ビス（Ｎ−２”−フルオロフェニル−Ｎ−１”’−ナフチル−４’−アミノフェニル）−３，４，５，６−テトラフェニルベンゼン
３５．１，２−ビス（Ｎ−メチル−Ｎ−１”−ナフチル−４’−アミノフェニル）−３，４，５，６−テトラフェニルベンゼン
３６．１，２−ビス（Ｎ−ｎ−ブチル−Ｎ−１”−ナフチル−４’−アミノフェニル）−３，４，５，６−テトラフェニルベンゼン
３７．１，２−ビス（Ｎ−ベンジル−Ｎ−１”−ナフチル−４’−アミノフェニル）−３，４，５，６−テトラフェニルベンゼン
３８．１，２−ビス（Ｎ−シクロヘキシル−Ｎ−１”−ナフチル−４’−アミノフェニル）−３，４，５，６−テトラフェニルベンゼン
３９．１，２−ビス（Ｎ−イソプロピル−Ｎ−２”−ナフチル−４’−アミノフェニル）−３，４，５，６−テトラフェニルベンゼン
４０．１，２−ビス（Ｎ−フェニル−４’−アミノフェニル）−３，４，５，６−テトラフェニルベンゼン
４１．１，２−ビス（Ｎ−１”−ナフチル−４’−アミノフェニル）−３，４，５，６−テトラフェニルベンゼン
４２．１，２−ビス（Ｎ−ｎ−ヘキシル−４’−アミノフェニル）−３，４，５，６−テトラフェニルベンゼン
４３．１，２−ビス（Ｎ−４”−ブロモベンジル−４’−アミノフェニル）−３，４，５，６−テトラフェニルベンゼン
４４．１，２−ビス（４’−アミノフェニル）−３，４，５，６−テトラフェニルベンゼン
４５．１，２−ビス（３’−アミノフェニル）−３，４，５，６−テトラフェニルベンゼン
４６．１，２−ビス（２’−アミノフェニル）−３，４，５，６−テトラフェニルベンゼン
４７．１，２−ビス（Ｎ−フェニル−Ｎ−２”−ナフチル−４’−アミノ−１’−ナフチル）−３，４，５，６−テトラフェニルベンゼン
４８．１，２−ビス（Ｎ，Ｎ−ジフェニル−４’−アミノ−１’−ナフチル）−３，４，５，６−テトラフェニルベンゼン
４９．１，２−ビス（Ｎ，Ｎ−ジフェニル−４’−アミノ−１’−ナフチル）−３，４，５，６−テトラフェニルベンゼン
５０．１，２−ビス（Ｎ，Ｎ−ジ−２”−ナフチル−４’−アミノ−２’−ナフチル）−３，４，５，６−テトラフェニルベンゼン
５１．１，２−ビス（Ｎ，Ｎ−ジ−１”−ナフチル−４’−アミノ−１’−ナフチル）−３，４，５，６−テトラフェニルベンゼン
５２．１，２−ビス（Ｎ−フェニル−Ｎ−１”−ナフチル−３’−アミノ−２’−ナフチル）−３，４，５，６−テトラフェニルベンゼン
５３．１，２−ビス（Ｎ−フェニル−Ｎ−４”−フェニルフェニル−４’−アミノ−１’−ナフチル）−３，４，５，６−テトラフェニルベンゼン
５４．１，２−ビス（Ｎ−フェニル−Ｎ−３”−フェニルフェニル−３’−アミノ−２’−ナフチル）−３，４，５，６−テトラフェニルベンゼン
５５．１，２−ビス（Ｎ−フェニル−Ｎ−２”−フェニルフェニル−２’−アミノ−１’−ナフチル）−３，４，５，６−テトラフェニルベンゼン
５６．１，２−ビス（Ｎ−フェニル−Ｎ−４”−シクロヘキシルフェニル−３’−アミノ−２’−ナフチル）−３，４，５，６−テトラフェニルベンゼン
５７．１，２−ビス（Ｎ−フェニル−Ｎ−３”−シクロヘキシルフェニル−４’−アミノ−１’−ナフチル）−３，４，５，６−テトラフェニルベンゼン
５８．１，２−ビス（Ｎ−フェニル−Ｎ−２”−アントラセニル−３’−アミノ−１’−ナフチル）−３，４，５，６−テトラフェニルベンゼン
５９．１，２−ビス（Ｎ−フェニル−Ｎ−９”−アントラセニル−３’−アミノ−２’−ナフチル）−３，４，５，６−テトラフェニルベンゼン
６０．１，２−ビス（Ｎ−フェニル−Ｎ−９”−フェナントレニル−４’−アミノ−１’−ナフチル）−３，４，５，６−テトラフェニルベンゼン
６１．１，２−ビス（Ｎ−２”−ナフチル−Ｎ−４”’−フェニルフェニル− ４’−アミノ−１’−ナフチル）−３，４，５，６−テトラフェニルベンゼン
６２．１，２−ビス（Ｎ−２”−ナフチル−Ｎ−４”’−シクロヘキシルフェニル−４’−アミノ−１’−ナフチル）−３，４，５，６−テトラフェニルベンゼン
６３．１，２−ビス（Ｎ−２”−ナフチル−Ｎ−１”’−ナフチル− ４’−アミノ−１’−ナフチル）−３，４，５，６−テトラフェニルベンゼン
６４．１，２−ビス（Ｎ−１”−ナフチル−Ｎ−４”’−フェニルフェニル− ４’−アミノ−１’−ナフチル）−３，４，５，６−テトラフェニルベンゼン
６５．１，２−ビス（Ｎ−１”−ナフチル−Ｎ−４”’−シクロヘキシルフェニル− ４’−アミノ−１’−ナフチル）−３，４，５，６−テトラフェニルベンゼン
６６．１，２−ビス（Ｎ−１”−ナフチル−Ｎ−２”’−フェニルフェニル− ４’−アミノ−１’−ナフチル）−３，４，５，６−テトラフェニルベンゼン
６７．１，２−ビス（Ｎ−１”−ナフチル−Ｎ−９”’−アントラセニル− ４’−アミノ−１’−ナフチル）−３，４，５，６−テトラフェニルベンゼン
６８．１，２−ビス（Ｎ−１”−ナフチル−Ｎ−９”’−フェナントレニル− ４’−アミノ−１’−ナフチル）−３，４，５，６−テトラフェニルベンゼン
６９．１，２−ビス（Ｎ−フェニル−Ｎ−２”−ナフチル−９’−アミノ−１０’−アントラセニル）−３，４，５，６−テトラフェニルベンゼン
７０．１，２−ビス（Ｎ−フェニル−Ｎ−２”−ナフチル−４’−アミノ−１’−ナフチル）−３，４，５，６−テトラフェニルベンゼン
７１．１，２−ビス（Ｎ−フェニル−Ｎ−１”−ナフチル−９’−アミノ−１０’−アントラセニル）−３，４，５，６−テトラフェニルベンゼン
７２．１，２−ビス（Ｎ−３”−メチルフェニル−Ｎ−１”’−ナフチル− ４’−アミノ−１’−ナフチル）−３，４，５，６−テトラフェニルベンゼン
７３．１，２−ビス（Ｎ−２”，５”−ジメチルフェニル−Ｎ−２”’−ナフチル− ４’−アミノ−１’−ナフチル）−３，４，５，６−テトラフェニルベンゼン
７４．１，２−ビス（Ｎ−メチル−Ｎ−１”−ナフチル− ４’−アミノ−１’−ナフチル）−３，４，５，６−テトラフェニルベンゼン
７５．１，２−ビス（Ｎ−ｎ−ブチル−Ｎ−１”−ナフチル− ４’−アミノ−１’−ナフチル）−３，４，５，６−テトラフェニルベンゼン
７６．１，２−ビス（Ｎ−ベンジル−Ｎ−１”−ナフチル− ４’−アミノ−１’−ナフチル）−３，４，５，６−テトラフェニルベンゼン
７７．１，２−ビス（Ｎ−シクロヘキシル−Ｎ−１”−ナフチル− ４’−アミノ−１’−ナフチル）−３，４，５，６−テトラフェニルベンゼン
７８．１，２−ビス（Ｎ−イソプロピル−Ｎ−２”−ナフチル−４’−アミノ−１’−ナフチル）−３，４，５，６−テトラフェニルベンゼン
７９．１，２−ビス（Ｎ−フェニル−４’−アミノ−１’−ナフチル）−３，４，５，６−テトラフェニルベンゼン
８０．１，２−ビス（Ｎ−１”−ナフチル−９’−アミノ−１０’−アントラセニル）−３，４，５，６−テトラフェニルベンゼン
８１．１，２−ビス（Ｎ−ｎ−ヘキシル−４’−アミノ−１’−ナフチル）−３，４，５，６−テトラフェニルベンゼン
８２．１，２−ビス（Ｎ−４”−フルオロベンジル−４’−アミノ−１’−ナフチル）−３，４，５，６−テトラフェニルベンゼン
８３．１，２−ビス（４’−アミノ−１’−ナフチル）−３，４，５，６−テトラフェニルベンゼン
８４．１，２−ビス（９’−アミノ−１０’−アントラセニル）−３，４，５，６−テトラフェニルベンゼン
８５．１，２−ビス（Ｎ−フェニル−Ｎ−２”−ナフチル−４’−アミノ−２’，５’−ジメチルフェニル）−３，４，５，６−テトラフェニルベンゼン
８６．１，２−ビス（Ｎ−フェニル−Ｎ−２”−ナフチル−３’−アミノ−５’−フェニルフェニル）−３，４，５，６−テトラフェニルベンゼン
８７．１，２−ビス（Ｎ−フェニル−Ｎ−１”−ナフチル−４’−アミノ−２’−フェニルフェニル）−３，４，５，６−テトラフェニルベンゼン
８８．１，２−ビス（Ｎ−フェニル−Ｎ−１”−ナフチル−４’−アミノ−２’−tert-ブチルフェニル）−３，４，５，６−テトラフェニルベンゼン
８９．１，２−ビス（Ｎ−フェニル−Ｎ−４”−フェニルフェニル−２’−アミノ−４’−tert−ブチルフェニル）−３，４，５，６−テトラフェニルベンゼン
９０．１，２−ビス（Ｎ−フェニル−Ｎ−９”−フェナントレニル−４’−アミノ−５’−ベンジルオキシフェニル）−３，４，５，６−テトラフェニルベンゼン
９１．１，２−ビス（Ｎ，Ｎ−ジ−１”−ナフチル−４’−アミノ−２’−メチル−１’−ナフチル）−３，４，５，６−テトラフェニルベンゼン
９２．１，２−ビス（Ｎ−フェニル−Ｎ−１”−ナフチル−４’−アミノフェニル）−４，５−ジフェニルベンゼン
９３．１，２−ビス（Ｎ−フェニル−Ｎ−１”−ナフチル−４’−アミノフェニル）−３，６−ジフェニルベンゼン
９４．１，２−ビス（Ｎ−フェニル−Ｎ−１”−ナフチル−４’−アミノフェニル）ベンゼン
９５．１，２−ビス（Ｎ−フェニル−Ｎ−１”−ナフチル−４’−アミノフェニル）−４，５−ジメチルベンゼン
９６．１，２−ビス（Ｎ−フェニル−Ｎ−１”−ナフチル−４’−アミノフェニル）−３−フルオロ−４，５，６−トリフェニルベンゼン
９７．１，２−ビス（Ｎ−フェニル−Ｎ−１”−ナフチル−４’−アミノフェニル）−３，６−ジシアノベンゼン
９８．１，２−ビス（Ｎ−フェニル−Ｎ−１”−ナフチル−４’−アミノフェニル）−３，６−ジ-tert-ブチルベンゼン
９９．１，２−ビス（Ｎ−フェニル−Ｎ−１”−ナフチル−４’−アミノフェニル）−３，６−ジシクロヘキシル−４，５−ジフェニルベンゼン
１００．１，２−ビス（Ｎ−フェニル−Ｎ−１”−ナフチル−４’−アミノフェニル）−３，５−ジ−ｎ−ノニルベンゼン
１０１．１，２−ビス（Ｎ−フェニル−Ｎ−１”−ナフチル−４’−アミノフェニル）−３，６−ジフェニル−４，５−ジメチルベンゼン
１０２．１，２−ビス（Ｎ−フェニル−Ｎ−１”−ナフチル−４’−アミノフェニル）−３，６−ジ（４”’−フェニルフェニル）−４，５−ジフェニルベンゼン
１０３．１，２−ビス（Ｎ−フェニル−Ｎ−１”−ナフチル−４’−アミノフェニル）−３，６−ジ（４”’−メチルフェニル）−４，５−ジフェニルベンゼン１０４．１，２−ビス（Ｎ−フェニル−Ｎ−１”−ナフチル−４’−アミノフェニル）−３，６−ジ（４”’−フルオロフェニル）−４，５−ジフェニルベンゼン
１０５．１，２−ビス（Ｎ−フェニル−Ｎ−１”−ナフチル−４’−アミノフェニル）−３，６−ジ（３”’−エトキシフェニル）−４，５−ジフェニルベンゼン
１０６．１，２−ビス（Ｎ−フェニル−Ｎ−１”−ナフチル−４’−アミノフェニル）−３，６−ジフェニル−４，５−ジ（４”’−ベンジルオキシフェニル）ベンゼン
１０７．１，２−ビス（Ｎ−フェニル−Ｎ−１”−ナフチル−４’−アミノフェニル）−３，６−ジ（３”’−フェニルフェニル）−４，５−ジフェニルベンゼン
１０８．１，２−ビス（Ｎ−フェニル−Ｎ−１”−ナフチル−４’−アミノフェニル）−３，６−ジ（1"'−ナフチル）−４，５−ジフェニルベンゼン
１０９．１，２−ビス（Ｎ−フェニル−Ｎ−１”−ナフチル−４’−アミノフェニル）−３−フェニルベンゼン
１１０．１−（Ｎ−フェニル−Ｎ−２”−ナフチル−４’−アミノフェニル）−２−（Ｎ’−フェニル−Ｎ’−１””−ナフチル−４”’−アミノフェニル）−３，４，５，６−テトラフェニルベンゼン
１１１．１−（Ｎ，Ｎ−ジフェニル−４’−アミノフェニル）−２−（Ｎ’，Ｎ’−ジフェニル−３  −アミノフェニル）−３，４，５，６−テトラフェニルベンゼン
１１２．１−（Ｎ，Ｎ−ジ−２”−ナフチル−４’−アミノフェニル）−２−（Ｎ’，Ｎ’−ジフェニル−４”’−アミノフェニル）−３，４，５，６−テトラフェニルベンゼン
１１３．１−（Ｎ，Ｎ−ジ−１”−ナフチル−４’−アミノフェニル）−２−（Ｎ’，Ｎ’−ジフェニル−３”’−アミノフェニル）−３，４，５，６−テトラフェニルベンゼン
１１４．１−（Ｎ−フェニル−Ｎ−１”−ナフチル−４’−アミノフェニル）−２−（Ｎ’−フェニル−４”’−アミノフェニル）−３，４，５，６−テトラフェニルベンゼン
１１５．１−（Ｎ−フェニル−Ｎ−４”−フェニルフェニル−４’−アミノフェニル）−２−（Ｎ’−フェニル−Ｎ’−４””−フェニルフェニル−３”’−アミノフェニル）−３，４，５，６−テトラフェニルベンゼン
１１６．１−（Ｎ−フェニル−Ｎ−３”−フェニルフェニル−４’−アミノフェニル）−２−（Ｎ’−フェニル−Ｎ’−１””−ナフチル−４”’−アミノフェニル）−３，４，５，６−テトラフェニルベンゼン
１１７．１−（Ｎ−フェニル−Ｎ−２”−フェニルフェニル−４’−アミノフェニル）−２−（Ｎ’，Ｎ’−ジフェニル−”’−アミノフェニル）−３，４，５，６−テトラフェニルベンゼン
１１８．１−（Ｎ−フェニル−Ｎ−４”−シクロヘキシルフェニル−４’−アミノフェニル）−２−（Ｎ’，Ｎ’−ジフェニル−４”’−アミノフェニル）−３，４，５，６−テトラフェニルベンゼン
１１９．１−（Ｎ−フェニル−Ｎ−３”−シクロヘキシルフェニル−４’−アミノフェニル）−２−（Ｎ’−フェニル−Ｎ’−1””−ナフチル−４”’−アミノフェニル）−３，４，５，６−テトラフェニルベンゼン
１２０．１−（Ｎ−フェニル−Ｎ−２”−ナフチル−４’−アミノフェニル）−２−（Ｎ’−フェニル−Ｎ’−２””−ナフチル−３”’−アミノフェニル）−３，４，５，６−テトラフェニルベンゼン
１２１．１−（Ｎ−フェニル−Ｎ−９”−アントラセニル−４’−アミノフェニル）−２−（Ｎ’，Ｎ’−ジフェニル−４”’−アミノフェニル）−３，４，５，６−テトラフェニルベンゼン
１２２．１−（Ｎ−フェニル−Ｎ−９”−アントラセニル−４’−アミノフェニル）−２−（Ｎ’−フェニル−Ｎ’−９””−アントラセニル−３”’−アミノフェニル）−３，４，５，６−テトラフェニルベンゼン
１２３．１−（Ｎ−フェニル−Ｎ−９”−フェナントレニル−４’−アミノフェニル）−２−（Ｎ’−フェニル−Ｎ’−９””−フェナントレニル−３”’−アミノフェニル）−３，４，５，６−テトラフェニルベンゼン
１２４．１−（Ｎ−フェニル−Ｎ−２”−キノリニル−４’−アミノフェニル）−２−（Ｎ’，Ｎ’−ジフェニル−３”’−アミノフェニル）−３，４，５，６−テトラフェニルベンゼン
１２５．１−（Ｎ−フェニル−Ｎ−１”−ピレニル−４’−アミノフェニル）−２−（Ｎ’，Ｎ’−ジフェニル−４”’−アミノフェニル）−３，４，５，６−テトラフェニルベンゼン
１２６．１−（Ｎ−２”−ナフチル−Ｎ−４”’−フェニルフェニル−４’−アミノフェニル）−２−（Ｎ’，Ｎ’−ジフェニル−４””−アミノフェニル）−３，４，５，６−テトラフェニルベンゼン
１２７．１−（Ｎ−２”−ナフチル−Ｎ−４”’−シクロヘキシルフェニル−４’−アミノフェニル）−２−（Ｎ’，Ｎ’−ジフェニル−４””−アミノフェニル）−３，４，５，６−テトラフェニルベンゼン
１２８．１−（Ｎ−２”−ナフチル−Ｎ−１”’−ナフチル−４’−アミノフェニル）−２−（Ｎ’，Ｎ’−ジ−１””’−ナフチル−３””−アミノフェニル）−３，４，５，６−テトラフェニルベンゼン
１２９．１−（Ｎ−２”−ナフチル−Ｎ−９”’−アントラセニル−４’−アミノフェニル）−２−（Ｎ’，Ｎ’−ジフェニル−４””−アミノフェニル）−３，４，５，６−テトラフェニルベンゼン
１３０．１−（Ｎ−２”−ナフチル−Ｎ−９”’−フェナントレニル−４’−アミノフェニル）−２−（Ｎ’，Ｎ’−ジ−４””’−フェニルフェニル−４””−アミノフェニル）−３，４，５，６−テトラフェニルベンゼン
１３１．１−（Ｎ−２”−ナフチル−Ｎ−９”’−ピレニル−４’−アミノフェニル）−２−（Ｎ’，Ｎ’−ジフェニル−３””−アミノフェニル）−３，４，５，６−テトラフェニルベンゼン
１３２．１−（Ｎ−１”−ナフチル−Ｎ−４”’−フェニルフェニル−４’−アミノフェニル）−２−（Ｎ’，Ｎ’−ジ−３””’−フェニルフェニル−４””−アミノフェニル）−３，４，５，６−テトラフェニルベンゼン
１３３．１−（Ｎ−１”−ナフチル−Ｎ−４”’−シクロヘキシルフェニル−４’−アミノフェニル）−２−（Ｎ’，Ｎ’−ジフェニル−４””−アミノフェニル）−３，４，５，６−テトラフェニルベンゼン
１３４．１−（Ｎ−１”−ナフチル−Ｎ−２”’−フェニルフェニル−４’−アミノフェニル）−２−（Ｎ’，Ｎ’−ジフェニル−４””−アミノ−３””−メチルフェニル）−３，４，５，６−テトラフェニルベンゼン
１３５．１−（Ｎ−１”−ナフチル−Ｎ−９”’−アントラセニル−４’−アミノフェニル）−２−（Ｎ’，Ｎ’−ジフェニル−４””−アミノフェニル）−３，４，５，６−テトラフェニルベンゼン
１３６．１−（Ｎ−１”−ナフチル−Ｎ−９”’−フェナントレニル−４’−アミノフェニル）−２−（Ｎ’−１””’−ナフチル−Ｎ’−９”””−フェナントレニル−３”””’−アミノフェニル）−３，４，５，６−テトラフェニルベンゼン
１３７．１−（Ｎ−１”−ナフチル−Ｎ−１”’−ピレニル−４’−アミノフェニル）−２−（Ｎ’−フェニル−Ｎ’−１””’−ピレニル−４””−アミノフェニル）−３，４，５，６−テトラフェニルベンゼン
１３８．１−（Ｎ−フェニル−Ｎ−２”−ナフチル−３’−アミノフェニル）−２−（Ｎ’，Ｎ’−ジフェニル−２”’−アミノフェニル）−３，４，５，６−テトラフェニルベンゼン
１３９．１，２−ビス（Ｎ−フェニル−Ｎ−２”−ナフチル−２’−アミノフェニル）−２−（Ｎ’，Ｎ’−ジフェニル−２”’−アミノフェニル）−３，４，５，６−テトラフェニルベンゼン
１４０．１，２−ビス（Ｎ−フェニル−Ｎ−１”−ナフチル−３’−アミノフェニル）−２−（Ｎ’，Ｎ’−ジフェニル−３”’−アミノフェニル）−３，４，５，６−テトラフェニルベンゼン
１４１．１，２−ビス（Ｎ−フェニル−Ｎ−１”−ナフチル−２’−アミノフェニル）−２−（Ｎ’，Ｎ’−ジフェニル−２”’−アミノフェニル）−３，４，５，６−テトラフェニルベンゼン
１４２．１−（Ｎ−３”−メチルフェニル−Ｎ−１”’−ナフチル−４’−アミノフェニル）−２−（Ｎ’，Ｎ’−ジフェニル−３””−アミノフェニル）−３，４，５，６−テトラフェニルベンゼン
１４３．１−（Ｎ−２”，５”−ジメチルフェニル−Ｎ−２”’−ナフチル−４’−アミノフェニル）−２−（Ｎ’，Ｎ’−ジフェニル−４””−アミノフェニル）−３，４，５，６−テトラフェニルベンゼン
１４４．１−（Ｎ−３”−シクロブチルオキシフェニル−Ｎ−１”’−ナフチル−４’−アミノフェニル）−２−（Ｎ’，Ｎ’−ジフェニル−４””−アミノフェニル）−３，４，５，６−テトラフェニルベンゼン
１４５．１−（Ｎ−２”−フルオロフェニル−Ｎ−１”’−ナフチル−４’−アミノフェニル）−２−（Ｎ’，Ｎ’−ジフェニル−４””−アミノフェニル）−３，４，５，６−テトラフェニルベンゼン
１４６．１−（Ｎ−メチル−Ｎ−１”−ナフチル−４’−アミノフェニル）−２−（Ｎ’−エチル−Ｎ’−フェニル−４”’−アミノフェニル）−３，４，５，６−テトラフェニルベンゼン
１４７．１−（Ｎ−ｎ−ブチル−Ｎ−１”−ナフチル−４’−アミノフェニル）−２−（Ｎ’，Ｎ’−ジフェニル−４”’−アミノフェニル）−３，４，５，６−テトラフェニルベンゼン
１４８．１−（Ｎ−ベンジル−Ｎ−１”−ナフチル−４’−アミノフェニル）−２−（Ｎ’，Ｎ’−ジメチル−３”’−アミノフェニル）−３，４，５，６−テトラフェニルベンゼン
１４９．１−（Ｎ−シクロヘキシル−Ｎ−１”−ナフチル−４’−アミノフェニル）−２−（Ｎ’−シクロヘキシル−Ｎ’−１”’−ナフチル−３””−アミノフェニル）−３，４，５，６−テトラフェニルベンゼン
１５０．１−（Ｎ−イソプロピル−Ｎ−２”−ナフチル−４’−アミノフェニル）−２−（Ｎ’，Ｎ’−ジフェニル−４”’−アミノフェニル）−３，４，５，６−テトラフェニルベンゼン
１５１．１−（Ｎ−フェニル−４’−アミノフェニル）−２−（Ｎ’，Ｎ’−ジ−１”’−ナフチル−３”−アミノフェニル）−３，４，５，６−テトラフェニルベンゼン
１５２．１−（Ｎ−１”−ナフチル−４’−アミノフェニル）−２−（Ｎ’，Ｎ’−ジ−１””−ナフチル−３”’−アミノフェニル）−３，４，５，６−テトラフェニルベンゼン
１５３．１−（Ｎ−ｎ−ヘキシル−４’−アミノフェニル）−２−（Ｎ’，Ｎ’−ジフェニル−３”−アミノフェニル）−３，４，５，６−テトラフェニルベンゼン
１５４．１−（Ｎ−４”−ブロモベンジル−４’−アミノフェニル）−２−（Ｎ’，Ｎ’−ジフェニル−４”’−アミノフェニル）−３，４，５，６−テトラフェニルベンゼン
１５５．１−（４’−アミノフェニル）−２−（３”−アミノフェニル）−３，４，５，６−テトラフェニルベンゼン
１５６．１−（３’−アミノフェニル）−２−（Ｎ’，Ｎ’−ジフェニル−３”−アミノフェニル）−３，４，５，６−テトラフェニルベンゼン
１５７．１−（２’−アミノフェニル）−２−（Ｎ’，Ｎ’−ジシクロヘキシル−３”−アミノフェニル）−３，４，５，６−テトラフェニルベンゼン
１５８．１−（Ｎ−フェニル−Ｎ−２”−ナフチル−４’−アミノ−１’−ナフチル）−２−（Ｎ’，Ｎ’−ジフェニル−４”’−アミノフェニル）−３，４，５，６−テトラフェニルベンゼン
１５９．１−（Ｎ，Ｎ−ジフェニル−４’−アミノ−１’−ナフチル）−２−（Ｎ’，Ｎ’−ジフェニル−３”−アミノフェニル）−３，４，５，６−テトラフェニルベンゼン
１６０．１−（Ｎ，Ｎ−ジフェニル−４’−アミノ−１’−ナフチル）−２−（Ｎ’，Ｎ’−ジフェニル−３”−アミノ−１”−ナフチル）−３，４，５，６−テトラフェニルベンゼン
１６１．１−（Ｎ，Ｎ−ジ−２”−ナフチル−４’−アミノ−２’−ナフチル）−２−（Ｎ’，Ｎ’−ジ−２””−ナフチル−３”’−アミノフェニル）−３，４，５，６−テトラフェニルベンゼン
１６２．１−（Ｎ，Ｎ−ジ−１”−ナフチル−４’−アミノ−１’−ナフチル）−２−（Ｎ’，Ｎ’−ジフェニル−３”’−アミノフェニル）−３，４，５，６−テトラフェニルベンゼン
１６３．１，２−ビス（Ｎ−フェニル−Ｎ−１”−ナフチル−３’−アミノ−２’−ナフチル）−２−（Ｎ’，Ｎ’−ジフェニル−４”’−アミノフェニル）−３，４，５，６−テトラフェニルベンゼン
１６４．１−（Ｎ−フェニル−Ｎ−４”−フェニルフェニル−４’−アミノ−１’−ナフチル）−２−（Ｎ’，Ｎ’−ジフェニル−４”’−アミノ−１”’−フェニル）−３，４，５，６−テトラフェニルベンゼン
１６５．１−（Ｎ−フェニル−Ｎ−３”−フェニルフェニル−３’−アミノ−２’−ナフチル）−２−（Ｎ’，Ｎ’−ジフェニル−４”’−アミノ−１”’−ナフチル）−３，４，５，６−テトラフェニルベンゼン
１６６．１−（Ｎ−フェニル−Ｎ−２”−フェニルフェニル−２’−アミノ−１’−ナフチル）−２−（Ｎ’，Ｎ’−ジフェニル−４”’−アミノフェニル）−３，４，５，６−テトラフェニルベンゼン
１６７．１−（Ｎ−フェニル−Ｎ−４”−シクロヘキシルフェニル−３’−アミノ−２’−ナフチル）−２−（Ｎ’，Ｎ’−ジ−４””−シクロヘキシルフェニル−４”’−アミノフェニル）−３，４，５，６−テトラフェニルベンゼン
１６８．１−（Ｎ−フェニル−Ｎ−３”−シクロヘキシルフェニル−４’−アミノ−１’−ナフチル）−２−（Ｎ’，Ｎ’−ジフェニル−３”’−アミノフェニル）−３，４，５，６−テトラフェニルベンゼン
１６９．１−（Ｎ−フェニル−Ｎ−２”−アントラセニル−３’−アミノ−１’−ナフチル）−２−（Ｎ’，Ｎ’−ジフェニル−４””−アミノフェニル）−３，４，５，６−テトラフェニルベンゼン
１７０．１−（Ｎ−フェニル−Ｎ−９”−アントラセニル−３’−アミノ−２’−ナフチル）−２−（Ｎ’−フェニル−Ｎ’−９””−ジフェニル−４”’−アミノ−１”’−ナフチル）−３，４，５，６−テトラフェニルベンゼン
１７１．１−（Ｎ−フェニル−Ｎ−９”−フェナントレニル−４’−アミノ−１’−ナフチル）−２−（Ｎ’，Ｎ’−ジフェニル−４”’−アミノ−２”’−フェニルフェニル）−３，４，５，６−テトラフェニルベンゼン
１７２．１−（Ｎ−２”−ナフチル−Ｎ−４”’−フェニルフェニル−４’−アミノ−１’−ナフチル）−２−（Ｎ’，Ｎ’−ジフェニル−３””−アミノフェニル）−３，４，５，６−テトラフェニルベンゼン
１７３．１−（Ｎ−２”−ナフチル−Ｎ−４”’−シクロヘキシルフェニル−４’−アミノ−１’−ナフチル）−２−（Ｎ’，Ｎ’−ジフェニル−４””−アミノフェニル）−３，４，５，６−テトラフェニルベンゼン
１７４．１−（Ｎ−２”−ナフチル−Ｎ−１”’−ナフチル− ４’−アミノ−１’−ナフチル）−２−（Ｎ’，Ｎ’−ジフェニル−４””−アミノフェニル）−３，４，５，６−テトラフェニルベンゼン
１７５．１−（Ｎ−１”−ナフチル−Ｎ−４”’−フェニルフェニル− ４’−アミノ−１’−ナフチル）−２−（Ｎ’，Ｎ’−ジフェニル−４””−アミノフェニル）−３，４，５，６−テトラフェニルベンゼン
１７６．１−（Ｎ−１”−ナフチル−Ｎ−４”’−シクロヘキシルフェニル− ４’−アミノ−１’−ナフチル）−２−（Ｎ’，Ｎ’−ジフェニル−４””−アミノフェニル）−３，４，５，６−テトラフェニルベンゼン
１７７．１−（Ｎ−１”−ナフチル−Ｎ−２”’−フェニルフェニル− ４’−アミノ−１’−ナフチル）−２−（Ｎ’，Ｎ’−ジ−１””’−ナフチル−４””−アミノフェニル）−３，４，５，６−テトラフェニルベンゼン
１７８．１−（Ｎ−１”−ナフチル−Ｎ−９”’−アントラセニル− ４’−アミノ−１’−ナフチル）−２−（Ｎ’，Ｎ’−ジフェニル−４””−アミノフェニル）−３，４，５，６−テトラフェニルベンゼン
１７９．１−（Ｎ−１”−ナフチル−Ｎ−９”’−フェナントレニル− ４’−アミノ−１’−ナフチル）−２−（Ｎ’，Ｎ’−ジフェニル−４””−アミノフェニル）−３，４，５，６−テトラフェニルベンゼン
１８０．１−（Ｎ−フェニル−Ｎ−２”−ナフチル−９’−アミノ−１０’−アントラセニル）−２−（Ｎ’，Ｎ’−ジフェニル−４”’−アミノフェニル）−３，４，５，６−テトラフェニルベンゼン
１８１．１−（Ｎ−フェニル−Ｎ−２”−ナフチル−４’−アミノ−１’−ナフチル）−２−（Ｎ’―フェニル−Ｎ’−２””−ナフチル−９”’−アミノ−１０”’−アントラセニル）−３，４，５，６−テトラフェニルベンゼン
１８２．１−（Ｎ−フェニル−Ｎ−１”−ナフチル−９’−アミノ−１０’−アントラセニル）−２−（Ｎ’，Ｎ’−ジフェニル−３”’−アミノフェニル）−３，４，５，６−テトラフェニルベンゼン
１８３．１−（Ｎ−３”−メチルフェニル−Ｎ−１”’−ナフチル− ４’−アミノ−１’−ナフチル）−２−（Ｎ’，Ｎ’−ジフェニル−４””−アミノフェニル）−３，４，５，６−テトラフェニルベンゼン
１８４．１−（Ｎ−２”，５”−ジメチルフェニル−Ｎ−２”’−ナフチル− ４’−アミノ−１’−ナフチル）−２−（Ｎ’，Ｎ’−ジフェニル−４””−アミノフェニル）−３，４，５，６−テトラフェニルベンゼン
１８５．１−（Ｎ−メチル−Ｎ−１”−ナフチル− ４’−アミノ−１’−ナフチル）−２−（Ｎ’，Ｎ’−ジフェニル−４”’−アミノフェニル）−３，４，５，６−テトラフェニルベンゼン
１８６．１−（Ｎ−ｎ−ブチル−Ｎ−１”−ナフチル− ４’−アミノ−１’−ナフチル）−２−（Ｎ’，Ｎ’−ジ−ｎ−ブチル−３”’−アミノフェニル）−３，４，５，６−テトラフェニルベンゼン
１８７．１−（Ｎ−ベンジル−Ｎ−１”−ナフチル− ４’−アミノ−１’−ナフチル）−２−（Ｎ’，Ｎ’−ジフェニル−４””−アミノフェニル）−３，４，５，６−テトラフェニルベンゼン
１８８．１−（Ｎ−シクロヘキシル−Ｎ−１”−ナフチル− ４’−アミノ−１’−ナフチル）−２−（Ｎ’，Ｎ’−ジシクロヘキシル−３””−アミノフェニル）−３，４，５，６−テトラフェニルベンゼン
１８９．１−（Ｎ−イソプロピル−Ｎ−２”−ナフチル−４’−アミノ−１’−ナフチル）−２−（Ｎ’，Ｎ’−ジフェニル−４”’−アミノフェニル）−３，４，５，６−テトラフェニルベンゼン
１９０．１−（Ｎ−フェニル−４’−アミノ−１’−ナフチル）−２−（Ｎ’，Ｎ’−ジフェニル−４”−アミノフェニル）−３，４，５，６−テトラフェニルベンゼン
１９１．１−（Ｎ−１”−ナフチル−９’−アミノ−１０’−アントラセニル）−２−（Ｎ’，Ｎ’−ジフェニル−４”−アミノ−１”−ナフチル）−３，４，５，６−テトラフェニルベンゼン
１９２．１−（Ｎ−ｎ−ヘキシル−４’−アミノ−１’−ナフチル）−２−（Ｎ’，Ｎ’−ジフェニル−４”−アミノフェニル）−３，４，５，６−テトラフェニルベンゼン
１９３．１−（Ｎ−４”−フルオロベンジル−４’−アミノ−１’−ナフチル）−２−（Ｎ’，Ｎ’−ジフェニル−９”−アミノ−１０”−アントラセニル）−３，４，５，６−テトラフェニルベンゼン
１９４．１−（４’−アミノ−１’−ナフチル）−２−（Ｎ’，Ｎ’−ジフェニル−９”−アミノ−１０”−アントラセニル）−３，４，５，６−テトラフェニルベンゼン
１９５．１−（９’−アミノ−１０’−アントラセニル）−２−（Ｎ’，Ｎ’−ジフェニル−４”−アミノフェニル）−３，４，５，６−テトラフェニルベンゼン
１９６．１−（Ｎ−フェニル−Ｎ−２”−ナフチル−４’−アミノ−２’，５’−ジメチルフェニル）−２−（Ｎ’，Ｎ’−ジフェニル−４”’−アミノフェニル）−３，４，５，６−テトラフェニルベンゼン
１９７．１−（Ｎ−フェニル−Ｎ−２”−ナフチル−３’−アミノ−５’−フェニルフェニル）−２−（Ｎ’，Ｎ’−ジフェニル−４”’−アミノフェニル）−３，４，５，６−テトラフェニルベンゼン
１９８．１−（Ｎ−フェニル−Ｎ−１”−ナフチル−４’−アミノ−２’−フェニルフェニル）−２−（Ｎ’，Ｎ’−ジフェニル−３”’−アミノフェニル）−３，４，５，６−テトラフェニルベンゼン
１９９．１−（Ｎ−フェニル−Ｎ−１”−ナフチル−４’−アミノ−２’−tert-ブチルフェニル）−２−（Ｎ’，Ｎ’−ジフェニル−３”’−アミノフェニル）−３，４，５，６−テトラフェニルベンゼン
２００．１−（Ｎ−フェニル−Ｎ−４”−フェニルフェニル−２’−アミノ−４’−sec−ブチルフェニル）−２−（Ｎ’，Ｎ’−ジ−１””−ナフチル−３”’−アミノフェニル）−３，４，５，６−テトラフェニルベンゼン
２０１．１−（Ｎ−フェニル−Ｎ−９”−フェナントレニル−４’−アミノ−５’−ベンジルオキシフェニル）−２−（Ｎ’，Ｎ’−ジフェニル−４”’−アミノ−２”−メチルフェニル）−３，４，５，６−テトラフェニルベンゼン
２０２．１−（Ｎ，Ｎ−ジ−１”−ナフチル−４’−アミノ−２’−メチル−１’−ナフチル）−２−（Ｎ’，Ｎ’−ジフェニル−４”’−アミノフェニル）−３，４，５，６−テトラフェニルベンゼン
２０３．１−（Ｎ−フェニル−Ｎ−１”−ナフチル−４’−アミノフェニル）−２−（Ｎ’，Ｎ’−ジフェニル−４”’−アミノフェニル）−４，５−ジフェニルベンゼン
２０４．１−（Ｎ−フェニル−Ｎ−１”−ナフチル−４’−アミノフェニル）−２−（Ｎ’，Ｎ’−ジフェニル−３”’−アミノフェニル）−３，６−ジフェニルベンゼン
２０５．１−（Ｎ−フェニル−Ｎ−１”−ナフチル−４’−アミノフェニル）−２−（Ｎ’，Ｎ’−ジフェニル−４”’−アミノフェニル）ベンゼン
２０６．１−（Ｎ−フェニル−Ｎ−１”−ナフチル−４’−アミノフェニル）−２−（３”’−アミノフェニル）−４，５−ジメチルベンゼン
２０７．１−（Ｎ−フェニル−Ｎ−１”−ナフチル−４’−アミノフェニル）−２−（Ｎ’，Ｎ’−ジフェニル−３”’−アミノフェニル）−３−フルオロ−４，５，６−トリフェニルベンゼン
２０８．１−（Ｎ−フェニル−Ｎ−１”−ナフチル−４’−アミノフェニル）−２−（Ｎ’，Ｎ’−ジフェニル−３”’−アミノフェニル）−３，６−ジシアノベンゼン
２０９．１−（Ｎ−フェニル−Ｎ−１”−ナフチル−４’−アミノフェニル）−２−（Ｎ’，Ｎ’−ジフェニル−４”’−アミノ−１”’−ナフチル）−３，６−ジ-tert-ブチルベンゼン
２１０．１−（Ｎ−フェニル−Ｎ−１”−ナフチル−４’−アミノフェニル）−２−（Ｎ’，Ｎ’−ジフェニル−３”’−アミノフェニル）−３，６−ジシクロヘキシル−４，５−ジフェニルベンゼン
２１１．１−（Ｎ−フェニル−Ｎ−１”−ナフチル−４’−アミノフェニル）−２−（Ｎ’，Ｎ’−ジフェニル−３”’−アミノフェニル）−３，５−ジ−ｎ−ノニルベンゼン
２１２．１−（Ｎ−フェニル−Ｎ−１”−ナフチル−４’−アミノフェニル）−２−（Ｎ’，Ｎ’−ジフェニル−４”’−アミノフェニル）−３，６−ジフェニル−４，５−ジメチルベンゼン
２１３．１−（Ｎ−フェニル−Ｎ−１”−ナフチル−４’−アミノフェニル）−２−（Ｎ’，Ｎ’−ジフェニル−４”’−アミノフェニル）−３，６−ジ（４””−フェニルフェニル）−４，５−ジフェニルベンゼン
２１４．１−（Ｎ−フェニル−Ｎ−１”−ナフチル−４’−アミノフェニル）−２−（Ｎ’，Ｎ’−ジフェニル−３”’−アミノフェニル）−３，６−ジ（４””−メチルフェニル）−４，５−ジフェニルベンゼン
２１５．１−（Ｎ−フェニル−Ｎ−１”−ナフチル−４’−アミノフェニル）−２−（Ｎ’，Ｎ’−ジフェニル−４”’−アミノフェニル）−３，６−ジ（４””−フルオロフェニル）−４，５−ジフェニルベンゼン
２１６．１−（Ｎ−フェニル−Ｎ−１”−ナフチル−４’−アミノフェニル）−２−（Ｎ’，Ｎ’−ジフェニル−３”’−アミノフェニル）−３，６−ジ（３””−エトキシフェニル）−４，５−ジフェニルベンゼン
２１７．１−（Ｎ−フェニル−Ｎ−１”−ナフチル−４’−アミノフェニル）−２−（Ｎ’，Ｎ’−ジフェニル−３”’−アミノフェニル）−３，６−ジフェニル−４，５−ジ（４””−ベンジルオキシフェニル）ベンゼン
２１８．１−（Ｎ−フェニル−Ｎ−１”−ナフチル−４’−アミノフェニル）−２−（Ｎ’，Ｎ’−ジフェニル−４”’−アミノ−１”’−ナフチル）−３，６−ジ（３””−フェニルフェニル）−４，５−ジフェニルベンゼン
【００９２】
本発明の一般式（１）で表されるアミン化合物は例えば、以下に示す工程により製造することができる。
【００９３】
一般式（１）で表されるアミン化合物の製造（化１１）
【００９４】
【化１１】
0005010076.tif 000009
【００９５】
すなわち、一般式（３）で表されるジフェニルアセチレン誘導体と、一般式（４）で表されるシクロペンタジエノン誘導体を反応させることで製造することができる。尚、反応は、溶媒（例えば、トルエン、ベンゼン、キシレン、ナフタレン、テトラリン、クロロベンゼン、ジクロロベンゼン、ニトロベンゼン等の芳香族系溶媒、Ｎ，Ｎ−ジメチルイミダゾリジノン、Ｎ−メチルピロリドン、ジエチレングリコールジメチルエーテル、ジエチレングリコールモノメチルエーテル、ジエチレングリコール等の極性溶媒）中で実施してもよく、また、無溶媒条件で実施してもよい。反応温度は、室温から、生成物の分解温度までの任意の温度で実施することが可能であるが、好ましくは、１００℃以上、生成物の分解温度以下であり、より好ましくは、１５０℃以上３００℃以下である。
【００９６】
また、一般式（１）で表されるアミン化合物は、Ａ11〜Ａ15およびＡ21〜Ａ25の少なくとも一つづつが式（２）で表される基である一般式（３）で表されるジフェニルアセチレン誘導体から製造してもよく、また、式（２）で表されるアミノ基に変換可能な基（例えば、ハロゲン原子、ニトロ基、ヒドロキシ基）をＡ11〜Ａ15およびＡ21〜Ａ25に少なくとも一つづつ有する一般式（３’）で表されるジフェニルアセチレン誘導体から一般式（１’）で表される前駆体を製造し、その後、公知の方法により、式（２）で表されるアミノ基へ変換可能な基を式（２）で表されるアミノ基へ変換して、一般式（１）で表される化合物を製造する方法（化１２）により製造してもよい。
【００９７】
【化１２】
0005010076.tif 000010
【００９８】
〔式中、Ａ’11〜Ａ’15およびＡ’21〜Ａ’25はＡ11〜Ａ15およびＡ21〜Ａ25と同じ意味を表し、Ａ’11〜Ａ’15の少なくとも一つ、およびＡ’21〜Ａ’25の少なくとも一つは式（２）で表されるアミノ基に変換可能な基を表し、Ｘ1、Ｘ2、Ｘ3およびＸ4、Ａ11〜Ａ15およびＡ21〜Ａ25は前述の意味を表す〕
すなわち、一般式（１’）において、Ａ’11〜Ａ’15の少なくとも一つ、およびＡ’21〜Ａ’25の少なくとも一つがハロゲン原子である場合には、一般式（１’）で表される化合物と、一般式（５）で表されるアミン誘導体（式中、Ｙ1およびＹ2は前述の意味を表す）を反応させることにより一般式（１）で表される化合物を製造することができる（化１３）。
【００９９】
【化１３】
0005010076.tif 000011
【０１００】
尚、一般式（５）で表される化合物と一般式（１’）で表される化合物との反応は、例えば、▲１▼塩基（例えば、炭酸カリウム、炭酸ナトリウム、カリウム−tert-ブトキシド）および、銅触媒（例えば、銅紛、銅／青銅紛、塩化銅、臭化銅、ヨウ化銅）の存在下に極性溶媒（例えばスルホラン、Ｎ，Ｎ−ジメチルホルムアルデヒド、ジクロロベンゼン、ニトロベンゼン）中で実施する方法（ウルマン反応）、▲２▼パラジウム触媒〔例えば、酢酸パラジウム／トリt-ブチルホスフィン、酢酸パラジウム／トリフェニルホスフィン、トリス（ジベンジリデンアセトン）ジパラジウム／トリ−tert-ブチルホスフィン、トリス（ジベンジリデンアセトン）ジパラジウム／ジ−tert−ブチル−ｏ−ビフェニルホスフィン、トリス（ジベンジリデンアセトン）ジパラジウム／ジシクロヘキシル−ｏ−ビフェニルホスフィン、テトラキス（トリフェニルホスフィン）パラジウム、ジクロロビス（トリフェニルホスフィン）パラジウム〕および塩基（例えば、炭酸カリウム、炭酸ナトリウム、炭酸セリウム、カリウム-tert−ブトキシド、ナトリウム-tert−ブトキシド）の存在下、不活性ガス気流下に溶媒（例えば、トルエン、キシレン、１，４−ジオキサン、テトラヒドロフラン）中で反応させる方法等により実施することができる。
【０１０１】
また、一般式（１’）においてＡ’11〜Ａ’15の少なくとも一つ、およびＡ’21〜Ａ’25の少なくとも一つがニトロ基である場合には、公知の方法によりニトロ基を還元（例えば、イソプロパノール等のアルコール溶媒中での還元鉄による還元、水素雰囲気下、パラジウム／炭素等のパラジウム触媒による還元）し、アミノ基とした後、一般式（６）または一般式（６’）で表されるハロゲン化化合物（式中、Ｙ1およびＹ2は前述の意味を表し、Ｘ’はハロゲン原子を表す）と反応させる方法（化１４）により一般式（１）で表される化合物を製造することができる。
【０１０２】
【化１４】
0005010076.tif 000012
【０１０３】
さらに、一般式（１’）において、Ａ’11〜Ａ’15およびＡ’21〜Ａ’25の少なくとも一つづつがヒドロキシ等の場合には、トリフルオロメタンスルホン酸エステル、ｐ−トルエンスルホン酸エステル等へ変換した後、一般式（５）で表されるアミン化合物と反応させることにより一般式（１）で表されるアミン化合物を製造することができる。
【０１０４】
次に本発明の有機電界発光素子ついて説明する。本発明の有機電界発光素子は、一対の電極間に、一般式（１）で表されるアミン化合物を少なくとも１種含有する層を少なくとも一層挟持してなるものである。有機電界発光素子は、通常一対の電極間に少なくとも１種の発光成分を含有する発光層を少なくとも一層挟持してなるものである。発光層に使用する化合物の正孔注入および正孔輸送、電子注入および電子輸送の各機能レベルを考慮し、所望に応じて、正孔注入成分を含有する正孔注入輸送層および／または電子注入輸送成分を含有する電子注入輸送層を設けることもできる。
【０１０５】
例えば、発光層に使用する化合物の正孔注入機能、正孔輸送機能および／または電子注入機能、電子輸送機能が良好な場合には、発光層が正孔注入輸送層および／または電子注入輸送層を兼ねた型の素子構成として一層型の素子構成とすることができる。また、発光層が正孔注入機能および／または正孔輸送機能に乏しい場合には発光層の陽極側に正孔注入輸送層を設けた二層型の素子構成、発光層が電子注入機能および／または電子輸送機能に乏しい場合には発光層の陰極側に電子注入輸送層を設けた二層型の素子構成とすることができる。さらには発光層を正孔注入輸送層と電子注入輸送層で挟み込んだ構成の三層型の素子構成とすることも可能である。
【０１０６】
また、正孔注入輸送層、電子注入輸送層および発光層のそれぞれの層は、一層構造であっても多層構造であってもよく、正孔注入輸送層および電子注入輸送層は、それぞれの層において、注入機能を有する層と輸送機能を有する層を別々に設けて構成することもできる。
【０１０７】
本発明の有機電界発光素子において、一般式（１）で表されるアミン化合物は、正孔注入輸送層および／または発光層の構成成分として使用することが好ましく、正孔注入輸送層の構成成分として使用することがより好ましい。
本発明の有機電界発光素子において、一般式（１）で表されるアミン化合物は、単独で使用してもよく、また複数併用してもよい。
【０１０８】
本発明の有機電界発光素子の構成としては、特に限定されるものではないが、例えば、（Ａ）陽極／正孔注入輸送層／発光層／電子注入輸送層／陰極型素子（図１）、（Ｂ）陽極／正孔注入輸送層／発光層／陰極型素子（図２）、（Ｃ）陽極／発光層／電子注入輸送層／陰極型素子（図３）、（Ｄ）陽極／発光層／陰極型素子（図４）、などを挙げることができる。さらには、発光層を電子注入輸送層で挟み込んだ形の（Ｅ）陽極／正孔注入輸送層／電子注入輸送層／発光層／電子注入輸送層／陰極型素子（図５）とすることもできる。また、（Ｄ）の型の素子構成としては、発光層として発光成分を一層形態で一対の電極間に挟持させた型の素子、（Ｆ）発光層として正孔注入輸送成分、発光成分および電子注入成分を混合させた一層形態で一対の電極間に挟持させた型の素子（図６）、（Ｇ）発光層として正孔注入輸送成分および発光成分を混合させた一層形態で一対の電極間に挟持させた型の素子（図７）、（Ｈ）発光層として発光成分および電子注入成分を混合させた一層形態で一対の電極間に挟持させた型の素子（図８）のいずれであってもよい。
【０１０９】
本発明の有機電界発光素子は、これらの素子構成に限定されるものではなく、それぞれの型の素子において、正孔注入輸送層、発光層、電子注入輸送層を複数設けることも可能である。また、それぞれの型の素子において、正孔注入輸送層を発光層との間に、正孔注入輸送成分と発光成分の混合層および／または発光層と電子注入輸送層との間に、発光成分と電子注入輸送成分の混合層を設けることもできる。
【０１１０】
好ましい有機電界発光素子の構成は、（Ａ）型素子、（Ｂ）型素子、（Ｅ）型素子、（Ｆ）型素子または（Ｇ）型素子であり、より好ましくは、（Ａ）型素子、（Ｂ）型素子または（Ｇ）型素子である。
【０１１１】
以下、本発明の有機電界発光素子の構成要素に関し、詳細に説明する。なお、例として（図１）に示す（Ａ）陽極／正孔注入輸送層／発光層／電子注入輸送層／陰極型素子を取り上げて説明する。
【０１１２】
（図１）において、１は基板、２は陽極、３は正孔注入輸送層、４は発光層、５は電子注入輸送層、６は陰極、７は電源を示す。
【０１１３】
本発明の有機電界発光素子は基板１に支持されていることが好ましく、基板としては、特に限定されるものではないが、透明ないし半透明である基板が好ましく、材質としては、ソーダライムガラス、ボロシリケートガラス等のガラスおよびポリエステル、ポリカーボネート、、ポリスルホン、ポリエーテルスルホン、ポリアクリレート、ポリメチルメタクリレート、ポリプロピレン、ポリエチレン等の透明性高分子が挙げられる。また、半透明プラスチックシート、石英、透明セラミックスあるいはこれらを組み合わせた複合シートからなる基板を使用することもできる。さらに、基板に、例えば、カラーフィルター膜、色変換膜、誘電体反射膜を組み合わせて、発光色をコントロールすることもできる。
陽極２としては、仕事関数の比較的大きい金属、合金または導電性化合物を電極材料として使用することが好ましい。陽極に使用する電極材料としては、例えば、金、白金、銀、銅、コバルト、ニッケル、パラジウム、バナジウム、タングステン、酸化インジウム（Ｉｎ２Ｏ３）、酸化錫（ＳｎＯ２）、酸化亜鉛、ＩＴＯ（インジウム・チン・オキサイド：Ｉｎｄｉｕｍ  Ｔｉｎ  Ｏｘｉｄｅ）、ポリチオフェン、ポリピロールなどを挙げることができる。これらの電極材料は単独で使用してもよく、あるいは複数併用してもよい。
【０１１４】
陽極は、これらの電極材料を、例えば、蒸着法、スパッタリング法等の方法により、基板の上に形成することができる。
【０１１５】
また、陽極は一層構造であってもよく、あるいは多層構造であってもよい。陽極のシート電気抵抗は、好ましくは、数百Ω／□以下、より好ましくは、５〜５０Ω／□程度に設定する。
【０１１６】
陽極の厚みは使用する電極材料の材質にもよるが、一般に、５〜１０００ｎｍ程度、より好ましくは、１０〜５００ｎｍ程度に設定する。
【０１１７】
正孔注入輸送層３は、陽極からの正孔（ホール）の注入を容易にする機能、および注入された正孔を輸送する機能を有する化合物を含有する層である。
【０１１８】
正孔注入輸送層は、一般式（１）で表される化合物および／または他の正孔注入輸送機能を有する化合物（例えば、フタロシアニン誘導体、トリアリールアミン誘導体、トリアリールメタン誘導体、オキサゾール誘導体、ヒドラゾン誘導体、スチルベン誘導体、ピラゾリン誘導体、ポリシラン誘導体、ポリフェニレンビニレンおよびその誘導体、ポリチオフェンおよびその誘導体、ポリ−Ｎ−ビニルカルバゾールなど）を少なくとも1種使用して形成することができる。
正孔注入輸送機能を有する化合物は、単独で使用してもよく、または複数併用してもよい。
【０１１９】
本発明の有機電界発光素子は、好ましくは、正孔注入輸送層に一般式（１）で表されるアミン化合物を含有する。本発明の有機電界発光素子において使用することができる本発明の一般式（１）で表されるアミン化合物以外の正孔注入輸送機能を有する化合物としては、トリアリールアミン誘導体（例えば、４，４’−ビス〔Ｎ−フェニル−Ｎ−（４”−メチルフェニル）アミノ〕ビフェニル、４，４’−ビス〔Ｎ−フェニル−Ｎ−（３”−メチルフェニル）アミノ〕ビフェニル、４，４’−ビス〔Ｎ−フェニル−Ｎ−（３”−メトキシフェニル）アミノ〕ビフェニル、４，４’−ビス〔Ｎ−フェニル−Ｎ−（１”−ナフチル）アミノ〕ビフェニル、３，３’−ジメチル−４，４’−ビス〔Ｎ−フェニル−Ｎ−（３”−メチルフェニル）アミノ〕ビフェニル、１，１−ビス〔４’−［Ｎ，Ｎ−ジ（４”−メチルフェニル）アミノ］フェニル〕シクロヘキサン、９，１０−ビス〔Ｎ−（４’−メチルフェニル）−Ｎ−（４”−ｎ−ブチルフェニル）アミノ〕フェナントレン、３，８−ビス（Ｎ，Ｎ−ジフェニルアミノ）−６−フェニルフェナントリジン、４−メチル−Ｎ，Ｎ−ビス〔４”、４”’−ビス［Ｎ’，Ｎ’−ジ（４−メチルフェニル）アミノ］ビフェニル−４−イル〕アニリン、Ｎ，Ｎ’−ビス〔４−（ジフェニルアミノ）フェニル〕−Ｎ，Ｎ’−ジフェニル−１，３−ジアミノベンゼン、Ｎ，Ｎ’−ビス〔４−（ジフェニルアミノ）フェニル〕−Ｎ，Ｎ’−ジフェニル−１，４−ジアミノベンゼン、５，５”−ビス〔４−（ビス［４−メチルフェニル］アミノ〕フェニル−２，２’：５’，２”−ターチオフェン、１，３，５−トリス（ジフェニルアミノ）ベンゼン、４，４’，４”−トリス（Ｎ−カルバゾリイル）トリフェニルアミン、４，４’，４”−トリス〔Ｎ，Ｎ−ビス（４”’−tert−ブチルビフェニル−４””−イル）アミノ〕トリフェニルアミン、１，３，５−トリス〔Ｎ−（４’−ジフェニルアミノ〕ベンゼンなど、ポリチオフェンおよびその誘導体、ポリ−Ｎ−ビニルカルバゾールおよびその誘導体がより好ましい。
【０１２０】
一般式（１）で表されるアミン化合物と他の正孔注入機能を有する化合物を併用する場合、正孔注入輸送層中に占める一般式（１）で表されるアミン化合物の含有量は、好ましくは、０．１重量％以上、より好ましくは、０．５〜９９．９重量％、さらに好ましくは３〜９７重量％である。
発光層４は、正孔および電子の注入機能、それらの輸送機能、正孔と電子の再結合により励起子を生成させる機能を有する化合物を含有する層である。
【０１２１】
発光層は、一般式（１）で表されるアミン化合物をホスト材料として、一般式（１）で表されるアミン化合物以外の発光機能を有する化合物を少なくとも１種ゲスト材料として使用して形成することができる。
【０１２２】
一般式（１）で表されるアミン化合物以外の発光機能を有する化合物（ゲスト材料）としては、例えば、アクリドン誘導体、キナクリドン誘導体、ジケトピロロピロール誘導体、多環芳香族化合物〔例えば、ルブレン、アントラセン、テトラセン、ピレン、ペリレン、クリセン、デカサイクレン、コロネン、テトラフェニルシクロペンタジエン、ペンタフェニルシクロペンタジエン、９，１０−ジフェニルアントラセン、９，１０−ビス（フェニルエチニル）アントラセン、１，４−ビス（９’−エチニルアントセニル）ベンゼン、４，４’−ビス（９”−エチニルアントラセニル）ビフェニル、ジベンゾ［f,f］ジインデノ［1,2,3-cd：1',2',3'-lm］ペリレン誘導体〕、トリアリールアミン誘導体（例えば、正孔注入輸送機能を有する化合物として前述した化合物を挙げることができる）、有機金属錯体〔例えば、トリス（８−キノリノラート）アルミニウム、ビス（１０−ベンゾ［ｈ］キノリノラート）ベリリウム、２−（２’−ヒドロキシフェニル）ベンゾチアゾールの亜鉛塩、４−ヒドロキシアクリジンの亜鉛塩、３−ヒドロキシフラボンの亜鉛塩、５−ヒドロキシフラボンのベリリウム塩、５−ヒドロキシフラボンのアルミニウム塩〕、スチルベン誘導体〔例えば、１，１，４，４−テトラフェニル−１，３−ブタジエン、４，４’−ビス（２，２−ジフェニルビニル）ビフェニル、４，４’−ビス［（１，１，２−トリフェニル）エテニル］ビフェニル〕、クマリン誘導体（例えば、クマリン１、クマリン６、クマリン７、クマリン３０、クマリン１０６、クマリン１３８、クマリン１５１、クマリン１５２、クマリン１５３、クマリン３０７、クマリン３１１、クマリン３１４、クマリン３３４、クマリン３３８、クマリン３４３、クマリン５００）、ピラン誘導体（例えば、ＤＣＭ１、ＤＣＭ２）、オキサゾン誘導体（例えば、ナイルレッド）、ベンゾチアゾール誘導体、ベンゾオキサゾール誘導体、ベンゾイミダゾール夕動体、ピラジン誘導体、ケイ皮酸エステル誘導体、ポリ−Ｎ−ビニルカルバゾールおよびその誘導体、ポリチオフェンおよびその誘導体、ポリフェニレンおよびその誘導体、ポリフルオレンおよびその誘導体、ポリフェニレンビニレンおよびその誘導体、ポリビフェニレンビニレンおよびその誘導体、ポリターフェニレンビニレンおよびその誘導体、ポリナフチレンビニレンおよびその誘導体、ポリチエニレンビニレンおよびその誘導体等を挙げることができる。一般式（１）で表されるアミン化合物以外の発光機能を有する化合物（ゲスト材料）としては、アクリドン誘導体、キナクリドン誘導体、多環芳香族化合物、トリアリールアミン誘導体、有機金属錯体およびスチルベン誘導体が好ましく、多環芳香族化合物、有機金属錯体がより好ましい。
【０１２３】
本発明の有機電界発光素子は、好ましくは、発光層に一般式（１）で表されるアミン化合物をホスト材料として含有する。
【０１２４】
一般式（１）で表されるアミン化合物をホスト材料として、他の発光機能を有する化合物と併用する場合、発光層中に占める一般式（１）で表されるアミン化合物の含有率は、好ましくは、４０．０％〜９９．９％であり、より好ましくは、６０．０〜９９．９重量％である。
【０１２５】
ゲスト材料の使用量は、一般式（１）で表されるアミン化合物に対して０．００１〜４０重量％、好ましくは、０．０５〜３０重量％、より好ましくは、０．１〜２０重量％である。また、ゲスト材料は、単独で使用してもよく、複数併用してもよい。
【０１２６】
電子注入輸送層に使用される電子注入機能を有する化合物としては、例えば、有機金属錯体、オキサジアゾール誘導体、トリアゾール誘導体、トリアジン誘導体、ペリレン誘導体、キノリン誘導体、キノキサリン誘導体、ジフェニルキノン誘導体、ニトロ置換フルオレノン誘導体、チオピランジオキサイド誘導体などを挙げることができる。また、有機金属錯体としては、例えば、トリス（８−キノリノラート）アルミニウム等の有機アルミニウム錯体、ビス（１０−ベンゾ［ｈ］キノリノラート）ベリリウム等の有機ベリリウム錯体、５−ヒドロキシフラボンのベリリウム塩、５−ヒドロキシフラボンのアルミニウム塩等を挙げることができる。好ましくは、有機アルミニウム錯体であり、より好ましくは、置換または未置換の８−キノリノラート配位子を有する有機アルミニウム錯体である。  置換または未置換の８−キノリラート配位子を有する有機アルミニウム錯体としては、例えば、一般式（ａ）〜一般式（ｃ）で表される化合物を挙げることができる。
【０１２７】
（Ｑ）3−Ａｌ        （ａ）
（式中、Ｑは置換または未置換の８−キノリノラート配位子を表す）
（Ｑ）2−Ａｌ−Ｏ−Ｌ’      （ｂ）
（式中、Ｑは置換または未置換の８−キノリノラート配位子を表し、Ｏ−Ｌ’はフェノラート配位子を表し、Ｌ’はフェニル基を有する炭素数６〜２４の炭化水素基を表す）
（Ｑ）2−Ａｌ−Ｏ−Ａｌ−（Ｑ）2        （ｃ）
（式中、Ｑは置換または未置換の８−キノリノラート配位子を表す）
【０１２８】
置換または未置換の８−キノリノラート配位子を有する有機アルミニウム錯体の具体例としては、例えば、トリス（８−キノリノラート）アルミニウム、トリス（４−メチル−８−キノリノラート）アルミニウム、トリス（５−メチル−８−キノリノラート）アルミニウム、トリス（３，４−ジメチル−８−キノリノラート）アルミニウム、トリス（４，５−ジメチル−８−キノリノラート）アルミニウム、トリス（４，６−ジメチル−８−キノリノラート）アルミニウム、
ビス（２−メチル−８−キノリノラート）（フェノラート）アルミニウム、ビス（２−メチル−８−キノリノラート）（２−メチルフェノラート）アルミニウム、ビス（２−メチル−８−キノリノラート）（３−メチルフェノラート）アルミニウム、ビス（２−メチル−８−キノリノラート）（４−メチルフェノラート）アルミニウム、ビス（２−メチル−８−キノリノラート）（２−フェニルフェノラート）アルミニウム、ビス（２−メチル−８−キノリノラート）（３−フェニルフェノラート）アルミニウム、ビス（２−メチル−８−キノリノラート）（４−フェニルフェノラート）アルミニウム、ビス（２−メチル−８−キノリノラート）（２，３−ジメチルフェノラート）アルミニウム、ビス（２−メチル−８−キノリノラート）（２，６−ジメチルフェノラート）アルミニウム、ビス（２−メチル−８−キノリノラート）（３，４−ジメチルフェノラート）アルミニウム、ビス（２−メチル−８−キノリノラート）（３，５−ジメチルフェノラート）アルミニウム、ビス（２−メチル−８−キノリノラート）（３，５−ジ-tert−ブチルフェノラート）アルミニウム、ビス（２−メチル−８−キノリノラート）（２，６−ジフェニルフェノラート）アルミニウム、ビス（２−メチル−８−キノリノラート）（２，４，６−トリフェニルフェノラート）アルミニウム、ビス（２−メチル−８−キノリノラート）（２，４，６−トリメチルフェノラート）アルミニウム、ビス（２−メチル−８−キノリノラート）（２，４，５，６−テトラメチルフェノラート）アルミニウム、ビス（２−メチル−８−キノリノラート）（１−ナフトラート）アルミニウム、ビス（２−メチル−８−キノリノラート）（２−ナフトラート）アルミニウム、ビス（２，４−ジメチル−８−キノリノラート）（２−フェニルフェノラート）アルミニウム、ビス（２，４−ジメチル−８−キノリノラート）（３−フェニルフェノラート）アルミニウム、ビス（２，４−ジメチル−８−キノリノラート）（４−フェニルフェノラート）アルミニウム、ビス（２，４−ジメチル−８−キノリノラート）（３，５−ジメチルフェノラート）アルミニウム、ビス（２，４−ジメチル−８−キノリノラート）（３，５−ジ-tert−ブチルフェノラート）アルミニウム、
ビス（２−メチル−８−キノリノラート）アルミニウム−μ−オキソ−ビス（２−メチル−８−キノリノラート）アルミニウム、ビス（２，４−ジメチル−８−キノリノラート）アルミニウム−μ−オキソ−ビス（２，４−ジメチル−８−キノリノラート）アルミニウム、ビス（２−メチル−４−エチル−８−キノリノラート）アルミニウム−μ−オキソ−ビス（２−メチル−４−エチル−８−キノリノラート）アルミニウム、ビス（２−メチル−４−メトキシ−８−キノリノラート）アルミニウム−μ−オキソ−ビス（２−メチル−４−メトキシ−８−キノリノラート）アルミニウム、ビス（２−メチル−５−シアノ−８−キノリノラート）アルミニウム−μ−オキソ−ビス（２−メチル−５−シアノ−８−キノリノラート）アルミニウム、ビス（２−メチル−５−トリフルオロメチル−８−キノリノラート）アルミニウム−μ−オキソ−ビス（２−メチル−５−トリフルオロメチル−８−キノリノラート）アルミニウムを挙げることができる。
【０１２９】
電子注入機能を有する化合物は単独で使用してもよく、また複数併用してもよい。
【０１３０】
陰極６としては、比較的仕事関数の小さい金属、合金または導電性化合物を電極材料として使用することが好ましい。陰極に使用する電極材料としては、例えば、リチウム、リチウム−インジウム合金、ナトリウム、ナトリウム−カリウム合金、カルシウム、マグネシウム、マグネシウム−銀合金、マグネシム−インジウム合金、インジウム、ルテニウム、チタニウム、マンガン、イットリウム、アルミニウム、アルミニウム−リチウム合金、アルミニウム−カルシウム合金、アルミニウム−マグネシウム合金、グラファイト薄を挙げることができる。これらの電極材料は単独で使用してもよく、また複数併用してもよい。
【０１３１】
陰極はこれらの電極材料を、例えば、蒸着法、スパッタリング法、イオン蒸着法、イオンプレーティング法、クラスターイオンビーム法により電子注入輸送層の上に形成することができる。
【０１３２】
また、陰極は一層構造であってもよく、多層構造であってもよい。陰極のシート電気抵抗は数百Ω／□以下とするのが好ましい。陰極の厚みは、使用する電極材料にもよるが、通常５〜１０００ｎｍ、好ましくは、１０〜５００ｎｍとする。本発明の有機電界発光素子の発光を高率よく取り出すために、陽極または陰極の少なくとも一方の電極は、透明ないし半透明であることが好ましく、一般に、発光光の透過率が７０％以上となるように陽極または陰極の材料、厚みを設定することが好ましい。
【０１３３】
また、本発明の有機電界発光素子は、正孔注入輸送層、発光層および電子注入輸送層の少なくとも一層中に、一重項酸素クンチャーを含有していてもよい。一重項酸素クエンチャーとしては、特に限定されるものではないが、例えば、ルブレン、ニッケル錯体、ジフェニルイソベンゾフランが挙げられ、好ましくは、ルブレンである。
【０１３４】
一重項酸素クエンチャーが含有されている層としては、特に限定されるものではないが、好ましくは、発光層または正孔注入輸送層であり、より好ましくは、正孔注入輸送層である。尚、正孔注入輸送層に一重項酸素クエンチャーを含有させる場合、正孔注入輸送層中に均一に含有させてもよく、正孔注入輸送層と隣接する層（例えば、発光層、発光機能を有する電子注入輸送層）の近傍に含有させてもよい。
【０１３５】
一重項酸素クエンチャーの含有量としては、含有される層（例えば、正孔注入輸送層）を構成する全体量の０．０１〜５０重量％、好ましくは、０．０５〜３０重量％、より好ましくは、０．１〜２０重量％である。
【０１３６】
正孔注入輸送層、発光層、電子注入輸送層の形成方法に関しては、特に限定されるものではなく、例えば、真空蒸着法、イオン化蒸着法、溶液塗布法（例えば、スピンコート法、キャスト法、デイップコート法、バーコート法、ロールコート法、ラングミュア・ブロジェット法、インクジェット法）を使用することができる。真空蒸着法により正孔注入輸送層、発光層、電子注入輸送層等の各層を形成する場合、真空蒸着の条件は。、特に限定されるものではないが、通常、１０-5Ｔｏｒｒ程度以下の真空下で、５０〜５００℃程度のボート温度（蒸着源温度）、−５０〜３００℃程度の基板温度で、０．００５〜５０ｎｍ／sec程度の蒸着速度で実施することが好ましい。この場合、正孔注入輸送層、発光層、電子注入輸送層等の各層は、真空下で、連続して形成することが好ましい。連続で形成することにより諸特性に優れた有機電界発光素子を製造することが可能となる。真空蒸着法により、正孔注入輸送層、発光層、電子注入輸送層等の各層を、複数の化合物を使用して形成する場合、化合物を入れた各ボートを個別に温度制御して、共蒸着することが好ましい。
【０１３７】
溶液塗布法により各層を形成する場合、各層を形成する成分あるいはその成分とバインダー樹脂等とを、溶媒に溶解または分散させて塗布液とする。溶媒としては、例えば、有機溶媒（ヘキサン、オクタン、デカン、トルエン、キシレン、エチルベンゼン、１−メチルナフタレン等の炭化水素系溶媒、アセトン、メチルエチルケトン、メチルイソブチルケトン、シクロヘキサノン等のケトン系溶媒、ジクロロメタン、クロロホルム、テトラクロロメタン、ジクロロエタン、トリクロロエタン、テトラクロロエタン、クロロベンゼン、ジクロロベンゼン、クロロトルエン等のハロゲン化炭化水素系溶媒、酢酸エチル、酢酸ブチル、酢酸アミル、乳酸エチル等のエステル系溶媒、メタノール、プロパノール、ブタノール、ペンタノール、ヘキサノール、シクロヘキサノール、メチルセロソルブ、エチルセロソルブ、エチレングリコール等のアルコール系溶媒、ジブチルエーテル、テトラヒドロフラン、ジオキサン、ジメトキシエタン、アニソール等のエーテル系溶媒、Ｎ，Ｎ−ジメチルホルムアミド、Ｎ，Ｎ−ジメチルアセトアミド、１−メチル−２−ピロリドン、１，３−ジメチル−２−イミダゾリジノン、ジメチルスルホキシド等の極性溶媒）、水を挙げることができる。溶媒は単独で使用してもよく、また複数併用してもよい。正孔注入輸送層、発光層、電子注入輸送層の各層の成分を溶媒に分散させる場合には、分散方法として、例えば、ボールミル、サンドミル、ペイントシェーカー、アトライター、ホモジナイザー等を使用して微粒子状に分散する方法を使用することができる。
【０１３８】
また、正孔注入輸送層、発光層、電子注入輸送層等の各層に使用しうるバインダー樹脂としては、ポリ−Ｎ−ビニルカルバゾール、ポリアリーレート、ポリスチレン、ポリエステル、ポリシロキサン、ポリメチルメタクリレート、ポリメチルアクリレート、ポリエーテル、ポリカーボネート、ポリアミド、ポリイミド、ポリアミドイミド、ポリパラキシレン、ポリエチレン、ポリフェニレンオキサイド、ポリエーテルスルホン、ポリアニリンおよびその誘導体、ポリチオフェンおよびその誘導体、ポリフェニレンビニレンおよびその誘導体、ポリフルオレンおよびその誘導体、ポリチエニレンビニレンおよびその誘導体などの高分子化合物を挙げることができる。バインダー樹脂は単独で使用してもよく、また、複数併用してもよい。塗布液の濃度は、特に限定されるものではないが、実施する塗布法により所望の厚みを作製するに適した濃度範囲に設定することができ、通常、０．１〜５０重量％、好ましくは、１〜３０重量％に設定する。バインダー樹脂を使用する場合、その使用量は特に限定されるものではないが、通常、正孔注入輸送層、発光層、電子注入輸送層等の各層を形成する成分とバインダー樹脂の総量に対してバインダー樹脂の含有率が（一層型の素子を形成する場合には各成分の総量に対して）、５〜９９．９重量％、好ましくは、１０〜９９重量％となるように使用する。
【０１３９】
正孔注入輸送層、発光層、電子注入輸送層等の各層の膜圧は、特に限定されるものではないが、通常、５ｎｍ〜５μｍとする。
【０１４０】
また、上記の条件で作製した本発明の有機電界発光素子は、酸素や水分等との接触を防止する目的で、保護層（封止層）を設けたり、また、素子を不活性物質中（例えば、パラフィン、流動パラフィン、シリコンオイル、フルオロカーボン油、ゼオライト含有フルオロカーボン油）に封入して保護することができる。保護層に使用する材料としては、例えば、有機高分子材料（例えば、フッ素樹脂、エポキシ樹脂、シリコーン樹脂、エポキシシリコーン樹脂、ポリスチレン、ポリエステル、ポリカーボネート、ポリアミド、ポリイミド、ポリアミドイミド、ポリパラキシレン、ポリエチレン、ポリフェニレンオキサイド）、無機材料（例えば、ダイアモンド薄膜、アモルファスシリカ、電気絶縁性ガラス、金属酸化物、金属窒化物、金属炭化物、金属硫化物）、さらには、光硬化性樹脂を挙げることができる。保護層に使用する材料は単独で使用してもよく、また複数併用してもよい。保護層は一層構造であってもよく、また多層構造であってもよい。
【０１４１】
また、本発明の有機電界発光素子は、電極に保護膜として金属酸化物膜（例えば、酸化アルミニウム膜）、金属フッ化膜を設けることもできる。
【０１４２】
本発明の有機電界発光素子は、陽極の表面に界面層（中間層）を設けることもできる。界面層の材質としては、有機リン化合物、ポリシラン、芳香族アミン誘導体、フタロシアニン誘導体等を挙げることができる。
【０１４３】
さらに、電極、例えば、陽極はその表面を、酸、アンモニア／過酸化水素、あるいはプラズマで処理して使用することもできる。
【０１４４】
本発明の有機電界発光素子は、通常、直流駆動型の素子として使用することができるが、交流駆動型の素子としても使用することができる。また、本発明の有機電界発光素子は、セグメント型、単純マトリック駆動型等のパッシブ駆動型であってもよく、ＴＦＴ（薄膜トランジスタ）型、ＭＩＭ（メタル−インスレーター−メタル）型等のアクティブ駆動型であってもよい。駆動電圧は通常、２〜３０Ｖである。本発明の有機電界発光素子は、パネル型光源（例えば、時計、液晶パネル等のバックライト）、各種の発光素子（例えば、ＬＥＤ等の発光素子の代替）、各種の表示素子〔例えば、情報表示素子（パソコンモニター、携帯電話・携帯端末用表示素子）〕、各種の標識、各種のセンサーなどに使用することができる。
【０１４５】
【実施例】
以下、実施例を挙げて本発明をさらに詳細に説明するが、本発明は、以下の実施例に限定されるものではない。
【０１４６】
（参考例１）例示化合物１の製造
（１）：１，２−ビス（４’−ブロモフェニル）アセチレンの製造
Ａ）４−ブロモヨードベンゼン２８３ｇ、３−メチル−１−ブチン−３−オール１２６ｇ、ジクロロビス（トリフェニルホスフィン）パラジウム５．５ｇ、ヨウ化銅２ｇ、トリフェニルホスフィン４ｇおよびトリエチルアミン５００ｇよりなる混合物を窒素雰囲気下で７０℃に１時間、８０℃で６時間加熱攪拌した。その後、混合物にトルエンを添加し、混合物を室温まで冷却し、不溶物をろ別し、ろ液を減圧下に濃縮し、残渣をシリカゲルカラムクロマトグラフィーにより精製し、目的とする、１−（４’−ブロモフェニル）−３−メチル−１−ブチン−３−オール２０１ｇを得た。次ぎに、１−（４’−ブロモフェニル）−３−メチル−１−ブチン−３−オール２０１ｇと、トルエン９００ｇおよび粉末状水酸化カリウム２０ｇを１１０℃でアセトンを除去しながら２時間加熱攪拌した。次ぎに、反応混合物を室温に冷却し、反応液をセライト上でろ過した。ろ液を水洗し、トルエンを減圧下に留去し、目的とする１−（４’−ブロモフェニル）アセチレンを１６０ｇ得た。
Ｂ）１−（４’−ブロモフェニル）アセチレン９０ｇ、４−ブロモヨードベンゼン１４１ｇ、ジクロロビス（トリフェニルホスフィン）パラジウム２ｇ、ヨウ化銅０．５ｇ、トリフェニルホスフィン２ｇおよびトリエチルアミン３００ｇよりなる混合物を窒素雰囲気下で８０℃に５時間加熱攪拌した。その後、混合物にトルエンを添加し、混合物を室温まで冷却し、不溶物をろ別した。ろ液を減圧下に留去し、シリカゲルカラムクロマトグラフィーにより精製し、目的とする１，２−ビス（４’−ブロモフェニル）アセチレン１３４ｇを得た。
（２）１，２−ビス（Ｎ−フェニル−Ｎ−２”−ナフチル−４’−アミノフェニル）アセチレンの製造。
Ｎ−フェニル−Ｎ−２−ナフチルアミン１６．５ｇ、１，２−ビス（４’−ブロモフェニル）アセチレン１２ｇ、ナトリウム-tert−ブトキシド９．６ｇ、酢酸パラジウム０．１８ｇ、トリ-tert-ブチルホスフィン０．６５ｇおよびトルエン９６ｇよりなる混合物を窒素雰囲気下１００℃で５時間過熱攪拌したその後、メタノールに排出し、粗結晶として１，２−ビス（Ｎ−フェニル−Ｎ−２”−ナフチル−４’−アミノフェニル）アセチレン２２ｇを得た。
（３）３，４，５，６−トテトラフェニル−１，２−ビス（Ｎ−フェニル−Ｎ−２”−ナフチル−４−アミノフェニル）ベンゼンの製造
１，２−ビス（Ｎ−フェニル−Ｎ−２”−ナフチル−４−アミノフェニル）ベンゼン７．７ｇおよびテトラフェニルシクロペンタジエノン５．１ｇを２６５〜２７５℃で加熱溶融させ、その後同温度で３０分間加熱し、気体の発生が終了するのを確認した。その後、反応混合物を冷却し、トルエンより再結晶し、目的とする１，２−ビス（Ｎ−フェニル−Ｎ−２”−ナフチル−４−アミノフェニル）−３，４，５，６−テトラフェニルベンゼン（例示化合物１）１０．６ｇを得た。さらにこの化合物を３５０℃、１×１０-4Ｐａで昇華精製した。
【０１４７】
（参考例２）例示化合物２の製造
参考例１の（２）において、Ｎ−フェニル−Ｎ−２−ナフチルアミン１６．５ｇを使用する代わりに、Ｎ，Ｎ−ジフェニルアミンを１２．７ｇ使用した以外は参考例１に記載の操作に従い例示化合物２の化合物９．３ｇを得た。さらにこの化合物を３４０℃、１×１０-4Ｐａで昇華精製した。
【０１４８】
（参考例３）例示化合物５の製造
参考例１の（２）において、Ｎ−フェニル−Ｎ−２−ナフチルアミン１６．５ｇを使用する代わりに、Ｎ−フェニル−Ｎ−１−ナフチルアミンを１６．５ｇ使用した以外は参考例１に記載の操作に従い例示化合物５の化合物１１．２ｇを得た。さらにこの化合物を３５０℃、１×１０-4Ｐａで昇華精製した。
【０１４９】
（参考例４）例示化合物６の製造
参考例１の（２）において、Ｎ−フェニル−Ｎ−２−ナフチルアミン１６．５ｇを使用する代わりに、Ｎ−フェニル−Ｎ−４−フェニルフェニルアミンを１８．４ｇ使用した以外は参考例１に記載の操作に従い例示化合物６の化合物１１．２ｇを得た。さらにこの化合物を３７０℃、１×１０-4Ｐａで昇華精製した。
【０１５０】
（参考例５）例示化合物２０の製造
参考例１の（２）において、Ｎ−フェニル−Ｎ−２−ナフチルアミン１６．５ｇを使用する代わりに、Ｎ−１−ナフチル−Ｎ−９’−フェナントレニルアミンを２３．９ｇ使用した以外は参考例１に記載の操作に従い例示化合物２０の化合物１３．５ｇを得た。さらにこの化合物を３８０℃、１×１０-4Ｐａで昇華精製した。
【０１５１】
（参考例６）例示化合物１２０の製造
参考例１の（１）−Ｂ）において、４−ブロモヨードベンゼン１４１ｇを使用する代わりに、３−ブロモヨードベンゼン１４１ｇを使用した以外は参考例１に記載の操作に従い例示化合物１２０の化合物１１．２ｇを得た。さらにこの化合物を３３０℃、１×１０-4Ｐａで昇華精製した。
【０１５２】
（参考例７）例示化合物１２３の製造
参考例１の（１）−Ｂ）において、４−ブロモヨードベンゼン１４１ｇを使用する代わりに、３−ブロモヨードベンゼン１４１ｇを使用し、（２）において、Ｎ−フェニル−Ｎ−２−ナフチルアミン１６．５ｇを使用する代わりに、Ｎ−フェニル−Ｎ−９−フェナントレニルアミンを２０．２ｇ使用した以外は参考例１に記載の操作に従い例示化合物１２３の化合物１４．１ｇを得た。さらにこの化合物を３７０℃、１×１０-4Ｐａで昇華精製した。
【０１５３】
（参考例８）有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０-6Torrに減圧した。先ず、ＩＴＯ透明電極上に、例示化合物１の化合物を蒸着速度０．２ｎｍ／ｓｅｃで７５ｎｍの厚さに蒸着し、正孔注入輸送層を形成した。次に、正孔注入輸送層の上にトリス（８−キノリノラート）アルミニウムを蒸着速度０．２ｎｍ／ｓｅｃで５０ｎｍの厚さに蒸着し、電子注入輸送層を兼ね備えた発光層を形成した。さらに、その上に、陰極としてマグネシウムと銀を蒸着速度０．２ｎｍ／ｓｅｃで２００ｎｍの厚さに共蒸着（重量比１０：１）して陰極とし、有機電界発光素子を作製した。尚、蒸着は、蒸着槽の減圧状態を保ったまま実施した。作製した有機電界発光素子に直流電圧を印加し、５０℃、乾燥雰囲気下、１０ｍＡ／ｃｍ2の定電流密度で連続駆動させた。初期には、５．９Ｖ、輝度５１０ｃｄ／ｍ2の緑色の発光が確認された。輝度の半減期は６４０時間であった。
【０１５４】
（参考例９〜１２）有機電界発光素子の作製
参考例８において、正孔注入輸送層の形成に際して、例示化合物１の化合物を使用する代わりに、例示化合物２の化合物（参考例９）、例示化合物５の化合物（参考例１０）、例示化合物６の化合物（参考例１１）、例示化合物２０の化合物（参考例１２）を使用した以外は、参考例８に記載の操作に従い、有機電界発光素子を作製した。各素子からは緑色の発光が確認された。さらにその特性を調べ、結果を第１表（表１）に示した。
【０１５５】
（比較例１）参考例８において、正孔注入輸送層の形成に際して、例示化合物１の化合物を使用する代わりに、４，４’−ビス〔Ｎ−フェニル−Ｎ−（３”−メチルフェニル）アミノ〕ビフェニルを使用した以外は参考例８に記載の操作に従い、有機電界発光素子を作製した。素子からは緑色の発光が確認された。さらにその特性を調べ、結果を第１表（表１）に示した。
【０１５６】
（比較例２）参考例８において、正孔注入輸送層の形成に際して、例示化合物１の化合物を使用する代わりに、９，９−ジメチル−２，７−ビス（Ｎ，Ｎ−ジフェニルアミノ）フルオレンを使用した以外は参考例８に記載の操作に従い、有機電界発光素子を作製した。各素子からは緑色の発光が確認された。さらにその特性を調べ、結果を第１表（表１）に示した。
【０１５７】
【表１】
0005010076.tif 000013
【０１５８】
（参考例１３）有機電界発光素子の作製厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０-6Torrに減圧した。先ず、ＩＴＯ透明電極上に、ポリ（チオフェン−２，５−ジイル）を蒸着速度０．１ｎｍ／secで、２０ｎｍの厚さに蒸着し、第１正孔注入輸送層を形成した。次いで、例示化合物１２０の化合物を蒸着速度０．２ｎｍ／ｓｅｃで５５ｎｍの厚さに蒸着し、第２正孔注入輸送層を形成した。次に、正孔注入輸送層の上にトリス（８−キノリノラート）アルミニウムを蒸着速度０．２ｎｍ／ｓｅｃで５０ｎｍの厚さに蒸着し、電子注入輸送層を兼ね備えた発光層を形成した。さらに、その上に、陰極としてマグネシウムと銀を蒸着速度０．２ｎｍ／ｓｅｃで２００ｎｍの厚さに共蒸着（重量比１０：１）して陰極とし、有機電界発光素子を作製した。尚、蒸着は、蒸着槽の減圧状態を保ったまま実施した。作製した有機電界発光素子に直流電圧を印加し、乾燥雰囲気下、１０ｍＡ／ｃｍ2の定電流密度で連続駆動させた。初期には、６．１Ｖ、輝度５３０ｃｄ／ｍ2の緑色の発光が確認された。輝度の半減期は１６００時間であった。
【０１５９】
（実施例１４）有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０-6Torrに減圧した。先ず、ＩＴＯ透明電極上に、４，４’，４”−トリス〔Ｎ−（３”−メチルフェニル）−Ｎ−フェニルアミノ〕トリフェニルアミンを蒸着速度０．１ｎｍ／ｓｅｃで、５０ｎｍの厚さに蒸着し、第１正孔注入輸送層を形成した。次いで、例示化合物２の化合物とルブレンを、異なる蒸着源から、蒸着速度０．２ｎｍ／ｓｅｃで２０ｎｍの厚さに共蒸着（重量比１０：１）し、第２正孔注入輸送層を兼ね備えた発光層を形成した。次いで、その上にトリス（８−キノリノラート）アルミニウムを蒸着速度０．２ｎｍ／ｓｅｃで５０ｎｍの厚さに蒸着し、電子注入輸送層を兼ね備えた発光層を形成した。さらに、その上に、陰極としてマグネシウムと銀を蒸着速度０．２ｎｍ／ｓｅｃで２００ｎｍの厚さに共蒸着（重量比１０：１）して陰極とし、有機電界発光素子を作製した。作製した有機電界発光素子に直流電圧を印加し、乾燥雰囲気下、１０ｍＡ／ｃｍ2の定電流密度で連続駆動させた。初期には、６．１Ｖ、輝度５４０ｃｄ／ｍ2の黄色の発光が確認された。輝度の半減期は１７００時間であった。
【０１６０】
（実施例１５）有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０-6Torrに減圧した。先ず、ＩＴＯ透明電極上に、ポリ（チオフェン−２，５−ジイル）を蒸着速度０．１ｎｍ／secで、２０ｎｍの厚さに蒸着し、第１正孔注入輸送層を形成した。蒸着槽を大気圧下に戻した後、再び蒸着槽を３×１０-6Torrに減圧した。次いで、例示化合物１２３の化合物とルブレンを、異なる蒸着源から、蒸着速度０．２ｎｍ／ｓｅｃで５５ｎｍの厚さに共蒸着（重量比１０：１）し、第２正孔注入輸送層を兼ね備えた発光層を形成した。減圧状態を保ったまま、次に、その上にトリス（８−キノリノラート）アルミニウムを蒸着速度０．２ｎｍ／ｓｅｃで５０ｎｍの厚さに蒸着し、電子注入輸送層を形成した。減圧状態を保ったまま、さらに、その上に、陰極としてマグネシウムと銀を蒸着速度０．２ｎｍ／ｓｅｃで２００ｎｍの厚さに共蒸着（重量比１０：１）して陰極とし、有機電界発光素子を作製した。作製した有機電界発光素子に直流電圧を印加し、乾燥雰囲気下、１０ｍＡ／ｃｍ2の定電流密度で連続駆動させた。初期には、６．０Ｖ、輝度５２０ｃｄ／ｍ2の黄色の発光が確認された。輝度の半減期は１６００時間であった。
【０１６１】
（実施例１６）有機電界発光素子の作製
厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した後、蒸着装置の基板ホルダーに固定し、蒸着槽を３×１０-6Torrに減圧した。先ず、ＩＴＯ透明電極上に、例示化合物１２０を蒸着速度０．１ｎｍ／secで、２０ｎｍの厚さに蒸着し、第１正孔注入輸送層を形成した。蒸着槽を大気圧下に戻した後、再び蒸着槽を３×１０-6Torrに減圧した。次いで、例示化合物６の化合物とルブレンを、異なる蒸着源から、蒸着速度０．２ｎｍ／ｓｅｃで５５ｎｍの厚さに共蒸着（重量比１０：１）し、第２正孔注入輸送層を兼ね備えた発光層を形成した。次に、その上にトリス（８−キノリノラート）アルミニウムを蒸着速度０．２ｎｍ／ｓｅｃで５０ｎｍの厚さに蒸着し、電子注入輸送層を形成した。さらに、その上に、陰極としてマグネシウムと銀を蒸着速度０．２ｎｍ／ｓｅｃで２００ｎｍの厚さに共蒸着（重量比１０：１）して陰極とし、有機電界発光素子を作製した。尚、蒸着は、蒸着槽の減圧状態を保ったまま実施した。作製した有機電界発光素子に直流電圧印加し、乾燥雰囲気下、１０ｍＡ／ｃｍ2の定電流密度で連続駆動させた。初期には、６．０Ｖ、輝度５２０ｃｄ／ｍ2の黄色の発光が確認された。輝度の半減期は１７００時間であった。
【０１６２】
（参考例１７）有機電界発光素子の作製厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した。次に、ＩＴＯ透明電極上に、ポリカーボネート（重量平均分子量３９０００）と例示化合物２０の化合物を重量比１００：５０の割合で含有する３重量％ジクロロエタン溶液を用いてスピンコート法により、４０ｎｍの正孔注入輸送層を形成した。次にこの正孔注入輸送層を有するガラス基板を、蒸着装置の基板ホルダーに固定し、蒸着層を３×１０-6Torrに減圧した。次に、その上にトリス（８−キノリノラート）アルミニウムを蒸着速度０．２ｎｍ／ｓｅｃで５０ｎｍの厚さに蒸着し、電子注入輸送層を兼ね備えた発光層を形成した。さらに、その上に、陰極としてマグネシウムと銀を蒸着速度０．２ｎｍ／ｓｅｃで２００ｎｍの厚さに共蒸着（重量比１０：１）して陰極とし、有機電界発光素子を作製した。作製した有機電界発光素子に乾燥雰囲気下、１０Ｖの直流電圧を印加したところ、９６ｍＡ／ｃｍ2の電流が流れた。輝度９６０ｃｄ／ｍ2の緑色の発光が確認された。輝度の半減期は２８０時間であった。
【０１６３】
（参考例１８）有機電界発光素子の作製厚さ２００ｎｍのＩＴＯ透明電極（陽極）を有するガラス基板を、中性洗剤、セミコクリーン（フルウチ化学製）、超純水、アセトン、エタノールを用いて超音波洗浄した。この基板を窒素ガスを用いて乾燥し、さらにＵＶ／オゾン洗浄した。次に、ＩＴＯ透明電極上に、ポリメチルメタクリレート（重量平均分子量２５０００）、例示化合物５の化合物、トリス（８−キノリノラート）アルミニウムをそれぞれ重量比１００：５０：０．５の割合で含有する３重量％ジクロロエタン溶液を用いてスピンコート法により、１００ｎｍの発光層を形成した。次にこの発光層を有するガラス基板を、蒸着装置の基板ホルダーに固定し、蒸着層を３×１０-6Torrに減圧した。発光層の上に、陰極としてマグネシウムと銀を蒸着速度０．２ｎｍ／ｓｅｃで２００ｎｍの厚さに共蒸着（重量比１０：１）して陰極とし、有機電界発光素子を作製した。作製した有機電界発光素子に乾燥雰囲気下、１５Ｖの直流電圧を印加したところ、８２ｍＡ／ｃｍ2の電流が流れた。輝度５４０ｃｄ／ｍ2の緑色の発光が確認された。輝度の半減期は４９０時間であった。
【０１６４】
【発明の効果】
本発明により、新規なアミン化合物、および発光寿命が長く、耐久性に優れた有機電界発光素子を提供することが可能になった。
【図面の簡単な説明】
【図１】有機電界発光素子の一例の断面概略図である。
【図２】有機電界発光素子の一例の断面概略図である。
【図３】有機電界発光素子の一例の断面概略図である。
【図４】有機電界発光素子の一例の断面概略図である。
【図５】有機電界発光素子の一例の断面概略図である。
【図６】有機電界発光素子の一例の断面概略図である。
【図７】有機電界発光素子の一例の断面概略図である。
【図８】有機電界発光素子の一例の断面概略図である。
【符号の説明】
１：基板
２：陽極
３：正孔注入輸送層
３ａ：正孔注入輸送成分
４：発光層
４ａ：発光成分
５：電子注入輸送層
５”：電子注入輸送層
５ａ：電子注入輸送成分
６：陰極
７：電源
【図１】
0005010076.tif 000016
【図２】
0005010076.tif 000017
【図３】
0005010076.tif 000018
【図４】
0005010076.tif 000019
【図５】
0005010076.tif 000020
【図６】
0005010076.tif 000021
【図７】
0005010076.tif 000022
【図８】
0005010076.tif 000023